(57)【要約】  データの問い合わせのための方法、システム、及びコンピュータプログラム製品が開示される。データベースへのクエリが受信される。データベースのデータは、マスター用語法データモデルを用いて構成される。マスター用語法データモデルは、１つ又は複数の用語法構造のマッピングを含む。クエリに応答するデータが生成される。
2019512796.tif 000002
【特許請求の範囲】
【請求項１】
コンピュータで実行される方法であって、
上記方法は、少なくとも１つのデータモデルに従ってデータが格納されたデータベースへのクエリを受信することを含み、上記少なくとも１つのデータモデルは、データを格納する少なくとも１つのデータノードを含み、上記少なくとも１つのデータモデルは、複数の用語法構造のマッピングを含む少なくとも１つのマスター用語法に従って構成され、
上記方法は、上記マッピングに従って上記データベースを横断的に検索することにより、上記クエリの少なくとも１つのパラメータに基づいて、上記クエリに応答する上記データベースからのデータを取得することを含み、上記少なくとも１つのパラメータは、上記複数の用語法構造のうちの第１の用語法構造の要素であり、
上記横断的に検索することは、
上記複数の用語法構造のうちの第２の用語法構造に含まれる少なくとも１つの部位要素であって、上記クエリに応答するデータに包含される上記データベースのデータを識別する部位要素を、上記少なくとも１つのパラメータに基づいて決定することと、
上記第２の用語法構造に含まれる少なくとも１つの参照要素であって、上記クエリに応答するデータに関連した上記データベースのデータを識別する参照要素を、上記少なくとも１つのパラメータに基づいて決定することと、
上記少なくとも１つの決定された部位要素及び上記少なくとも１つの決定された参照要素のうちの少なくとも一方に従って、上記クエリに応答するデータを提供することとのうちの少なくとも１つを含む、
方法。
【請求項２】
上記第１の用語法構造は、国際疾病分類（ＩＣＤ−１０）からの用語を含み、上記第２の用語法構造は、国際疾病分類−腫瘍学（ＩＣＤ−Ｏ）からの用語を含む、
請求項１記載の方法。
【請求項３】
上記少なくとも１つの部位要素は、患者の身体における腫瘍の部位、腫瘍のタイプ、バイオマーカー、変異、ゲノムのバイオマーカー、ゲノムのバイオマーカーの変異、及びそれらの任意の組み合わせのうちの少なくとも１つを識別する、
請求項２記載の方法。
【請求項４】
上記少なくとも１つの参照要素は、上記少なくとも１つの部位要素に基づいて決定される、
請求項３記載の方法。
【請求項５】
上記少なくとも１つの参照要素は、腫瘍ステージ、腫瘍グレード、少なくとも１つの癌特異因子、少なくとも１つの治療、腫瘍再発、少なくとも１つの多発性原発性診断、形態、及びそれらの任意の組み合わせのうちの少なくとも１つを含む、
請求項４記載の方法。
【請求項６】
上記形態は上記第２の用語法構造に基づいて決定される、
請求項５記載の方法。
【請求項７】
上記取得することは、上記形態に基づいて、上記クエリに応答するデータを選択することを含む、
請求項６記載の方法。
【請求項８】
上記少なくとも１つの参照要素は、腫瘍ステージ、腫瘍グレード、少なくとも１つの癌特異因子、少なくとも１つの治療、腫瘍再発、少なくとも１つの多発性原発性診断、及びそれらの任意の組み合わせのうちの少なくとも１つを含む、
請求項４記載の方法。
【請求項９】
上記少なくとも１つの部位要素は、上記第１の用語法構造を用いて上記少なくとも１つのパラメータに基づいて決定された形態を含み、
上記形態に対応する上記データベースのデータは、上記クエリに応答するデータに含まれる、
請求項８記載の方法。
【請求項１０】
少なくとも１つのプログラミング可能なプロセッサと、
上記少なくとも１つのプログラミング可能なプロセッサによって実行されたときに、上記少なくとも１つのプログラミング可能なプロセッサに以下のステップを含む動作を実行させる命令を格納する機械可読媒体とを備えるシステムであって、
上記動作は、少なくとも１つのデータモデルに従ってデータが格納されたデータベースへのクエリを受信することを含み、上記少なくとも１つのデータモデルは、データを格納する少なくとも１つのデータノードを含み、上記少なくとも１つのデータモデルは、複数の用語法構造のマッピングを含む少なくとも１つのマスター用語法に従って構成され、
上記動作は、上記マッピングに従って上記データベースを横断的に検索することにより、上記クエリの少なくとも１つのパラメータに基づいて、上記クエリに応答する上記データベースからのデータを取得することを含み、上記少なくとも１つのパラメータは、上記複数の用語法構造のうちの第１の用語法構造の要素であり、
上記横断的に検索することは、
上記複数の用語法構造のうちの第２の用語法構造に含まれる少なくとも１つの部位要素であって、上記クエリに応答するデータに包含される上記データベースのデータを識別する部位要素を、上記少なくとも１つのパラメータに基づいて決定することと、
上記第２の用語法構造に含まれる少なくとも１つの参照要素であって、上記クエリに応答するデータに関連した上記データベースのデータを識別する参照要素を、上記少なくとも１つのパラメータに基づいて決定することと、
上記少なくとも１つの決定された部位要素及び上記少なくとも１つの決定された参照要素のうちの少なくとも一方に従って、上記クエリに応答するデータを提供することとのうちの少なくとも１つを含む、
システム。
【請求項１１】
上記第１の用語法構造は、国際疾病分類（ＩＣＤ−１０）からの用語を含み、上記第２の用語法構造は、国際疾病分類−腫瘍学（ＩＣＤ−Ｏ）からの用語を含む、
請求項１２記載のシステム。
【請求項１２】
上記少なくとも１つの部位要素は、患者の身体における腫瘍の部位、腫瘍のタイプ、バイオマーカー、変異、ゲノムのバイオマーカー、ゲノムのバイオマーカーの変異、及びそれらの任意の組み合わせのうちの少なくとも１つを識別する、
請求項１１記載のシステム。
【請求項１３】
上記少なくとも１つの参照要素は、上記少なくとも１つの部位要素に基づいて決定される、
請求項１２記載のシステム。
【請求項１４】
上記少なくとも１つの参照要素は、腫瘍ステージ、腫瘍グレード、少なくとも１つの癌特異因子、少なくとも１つの治療、腫瘍再発、少なくとも１つの多発性原発性診断、形態、及びそれらの任意の組み合わせのうちの少なくとも１つを含む、
請求項１３記載のシステム。
【請求項１５】
上記形態は上記第２の用語法構造に基づいて決定される、
請求項１４記載のシステム。
【請求項１６】
上記取得することは、上記形態に基づいて、上記クエリに応答するデータを選択することを含む、
請求項１５記載のシステム。
【請求項１７】
上記少なくとも１つの参照要素は、腫瘍ステージ、腫瘍グレード、少なくとも１つの癌特異因子、少なくとも１つの治療、腫瘍再発、少なくとも１つの多発性原発性診断、及びそれらの任意の組み合わせのうちの少なくとも１つを含む、
請求項１３記載のシステム。
【請求項１８】
上記少なくとも１つの部位要素は、上記第１の用語法構造を用いて上記少なくとも１つのパラメータに基づいて決定された形態を含み、
上記形態に対応する上記データベースのデータは、上記クエリに応答するデータに含まれる、
請求項１７記載のシステム。
【請求項１９】
少なくとも１つのプログラミング可能なプロセッサによって実行されたときに、上記少なくとも１つのプログラミング可能なプロセッサに以下のステップを含む動作を実行させる命令を格納する非一時的な機械可読媒体を備えるコンピュータプログラム製品であって、
上記動作は、少なくとも１つのデータモデルに従ってデータが格納されたデータベースへのクエリを受信することを含み、上記少なくとも１つのデータモデルは、データを格納する少なくとも１つのデータノードを含み、上記少なくとも１つのデータモデルは、複数の用語法構造のマッピングを含む少なくとも１つのマスター用語法に従って構成され、
上記動作は、上記マッピングに従って上記データベースを横断的に検索することにより、上記クエリの少なくとも１つのパラメータに基づいて、上記クエリに応答する上記データベースからのデータを取得することを含み、上記少なくとも１つのパラメータは、上記複数の用語法構造のうちの第１の用語法構造の要素であり、
上記横断的に検索することは、
上記複数の用語法構造のうちの第２の用語法構造に含まれる少なくとも１つの部位要素であって、上記クエリに応答するデータに包含される上記データベースのデータを識別する部位要素を、上記少なくとも１つのパラメータに基づいて決定することと、
上記第２の用語法構造に含まれる少なくとも１つの参照要素であって、上記クエリに応答するデータに関連した上記データベースのデータを識別する参照要素を、上記少なくとも１つのパラメータに基づいて決定することと、
上記少なくとも１つの決定された部位要素及び上記少なくとも１つの決定された参照要素のうちの少なくとも一方に従って、上記クエリに応答するデータを提供することとのうちの少なくとも１つを含む、
コンピュータプログラム製品。
【請求項２０】
上記第１の用語法構造は、国際疾病分類（ＩＣＤ−１０）からの用語を含み、上記第２の用語法構造は、国際疾病分類−腫瘍学（ＩＣＤ−Ｏ）からの用語を含む、
請求項１９記載のコンピュータプログラム製品。
【請求項２１】
上記少なくとも１つの部位要素は、患者の身体における腫瘍の部位、腫瘍のタイプ、バイオマーカー、変異、ゲノムのバイオマーカー、ゲノムのバイオマーカーの変異、及びそれらの任意の組み合わせのうちの少なくとも１つを識別する、
請求項２０記載のコンピュータプログラム製品。
【請求項２２】
上記少なくとも１つの参照要素は、上記少なくとも１つの部位要素に基づいて決定される、
請求項２１記載のコンピュータプログラム製品。
【請求項２３】
上記少なくとも１つの参照要素は、腫瘍ステージ、腫瘍グレード、少なくとも１つの癌特異因子、少なくとも１つの治療、腫瘍再発、少なくとも１つの多発性原発性診断、形態、及びそれらの任意の組み合わせのうちの少なくとも１つを含む、
請求項２２記載のコンピュータプログラム製品。
【請求項２４】
上記形態は上記第２の用語法構造に基づいて決定される、
請求項２３記載のコンピュータプログラム製品。
【請求項２５】
上記取得することは、上記形態に基づいて、上記クエリに応答するデータを選択することを含む、
請求項２４記載のコンピュータプログラム製品。
【請求項２６】
上記少なくとも１つの参照要素は、腫瘍ステージ、腫瘍グレード、少なくとも１つの癌特異因子、少なくとも１つの治療、腫瘍再発、少なくとも１つの多発性原発性診断、及びそれらの任意の組み合わせのうちの少なくとも１つを含む、
請求項２２記載のコンピュータプログラム製品。
【請求項２７】
上記少なくとも１つの部位要素は、上記第１の用語法構造を用いて上記少なくとも１つのパラメータに基づいて決定された形態を含み、
上記形態に対応する上記データベースのデータは、上記クエリに応答するデータに含まれる、
請求項２６記載のコンピュータプログラム製品。
【発明の詳細な説明】
【技術分野】
【０００１】
いくつかの実施例では、本要旨は、データ処理に関し、特に、マスター用語法を用いてデータを問い合わせることに関する。
【背景技術】
【０００２】
関連出願への相互参照
本願は、２０１６年３月１４日に出願され、「Querying Data Using Master Terminology Data Model」の名称を有する、フサリ（Ｆｕｓａｒｉ）他の米国仮特許出願第６２／３０７９６１号への優先権を主張し、その開示内容の全体を参照によって本明細書に組み込む。
【０００３】
本願は、２０１３年１２月９日に出願されたフサリの米国仮特許出願第６１／９１３８０９号への優先権を主張して２０１４年１２月９日に出願された国際特許出願ＰＣＴ／ＵＳ２０１４／０６９３６９号に関連し、それらの開示内容の全体を参照によって本明細書に組み込む。
【０００４】
腫瘍学に焦点を当てた臨床試験は、典型的には、ＩＣＤ−９のようなビリング（billing）診断において取り込まれない癌に関する情報を必要とする。具体的には、最も頻繁に必要とされる情報は、（１）原発腫瘍部位（乳房、肺などのような、原発腫瘍の器官の場所）と、（２）腫瘍細胞のタイプ（すなわち組織構造）、腫瘍細胞の挙動（腫瘍の侵入性の程度）、及び腫瘍のグレード（細胞分化の程度）を含む、腫瘍の特性と、（３）腫瘍のサイズ、リンパ節の関与、及び転移の存在によって特徴付けられる病気の進行度分類・深刻さとである。この情報は、腫瘍の病気を適切に記述するように頻繁に要求される。今日の世界において、癌ゲノミクスについてより多くの知識が獲得され、より目標を設定された癌治療が開発されているので、腫瘍学における遺伝バイオマーカーの重要性が増大している。ビリング診断（ＩＣＤ−９）とは異なり、腫瘍情報は、典型的には、典型的な電子カルテ（electronic medical record：「ＥＭＲ」）において構造化した方法で取り込まれることはない。しかしながら、癌は報告義務のある病気であり、また、すべてのプロバイダは、癌症例を州の癌登録機関に報告することを要求される。この報告に必要な情報を集めるための標準がある。データは、構造化した方法で取り込まれ、典型的には、癌又は腫瘍の登録機関として参照されるデータベースに格納される。
【発明の概要】
【発明が解決しようとする課題】
【０００５】
本発明の目的は、マスター用語法データモデルを用いたデータの問い合わせを提供することにある。
【課題を解決するための手段】
【０００６】
いくつかの実施例では、本要旨は、データの問い合わせのためのコンピュータで実行される方法に関する。本方法は、データベースへのクエリを受信することを含んでもよい。ここで、データベースのデータは、マスター用語法データモデルを用いて構成されてもよい。マスター用語法データモデルは、１つ又は複数の用語法構造のマッピングを含んでもよく、クエリに応答するデータが生成される。
【０００７】
いくつかの実施例では、構造化されたマスター用語法データモデルは、２つ以上の用語法構造、例えばＩＣＤ−１０及びＩＣＤ−Ｏにおける用語のマッピングを用いてもよい。構造化されたデータモデルは、新たなタイプの用語法構造（例えば癌用語法構造）になってもよい。この構造は、複数のレベル（レベル０：「腫瘍登録機関」（例えばトップレベル）、レベル１：腫瘍部位（又は、例えば、１つ又は複数のバイオマーカー、１つ又は複数の変異、１つ又は複数のゲノムバイオマーカーなど、及び／又はそれらの任意の組み合わせのような、ただしこれらに限定されない、癌の他の任意の態様）など）を含んでもよい。データは、様々な態様の腫瘍学的データ（例えば、腫瘍部位、形態（組織構造及び挙動）、腫瘍グレード、腫瘍ステージ、癌特異因子、治療、再発、多発性原発性診断、など）を用いてマッピング及び構造化されてもよい。さらに、ユーザによるクエリの構築／実行を支援するために、癌の特定の態様（例えば、診断、部位、バイオマーカー、変異など）を用いて複数の既存の用語法構造の間で特定のデータをマッピングして、マスター用語法における追加の腫瘍学的データを提供することができる。いくつかの実施例では、腫瘍学的用語法における同義語は、マスター用語法データモデルを作成する目的で使用されてもよい。いくつかの実施例では、問い合わせの目的でマスター用語法に従って適切にデータをロードできるようにするために、腫瘍学的データ（例えば、腫瘍の形態、部位対形態、腫瘍学的修飾子など）を表すためのプロバイダマップが生成されてもよい。いくつかの実施例では、クエリは、自由形式／テキストで生成され、次いで、マスター用語法に基づいて適切なパラメータに翻訳されてもよい。ここで、結果として生じるデータは、ユーザインターフェースを介して提示されてもよく、及び／又は、他の任意の方法で提示されてもよい。クエリは、マスター用語法の特定のコードを用いて構築されてもよい。
【０００８】
いくつかの実施例では、本要旨は、データの問い合わせのためのコンピュータで実行される方法に関する。本方法は、データベースへのクエリを受信することと、マッピングに従って上記データベースを横断的に検索することにより、クエリの少なくとも１つのパラメータに基づいて、クエリに応答するデータベースからのデータを取得することと、少なくとも１つの決定された部位要素及び少なくとも１つの決定された参照要素のうちの少なくとも一方に従って、クエリに応答するデータを提供することとを含んでもよい。データは、少なくとも１つのデータモデルに従って格納されてもよい。データモデルは、データを格納する少なくとも１つのデータノードを含んでもよく、また、複数の用語法構造のマッピングを含む少なくとも１つのマスター用語法に従って構成されてもよい。パラメータは、複数の用語法構造のうちの第１の用語法構造の要素であってもよい。横断的に検索することは、複数の用語法構造のうちの第２の用語法構造に含まれる少なくとも１つの部位要素であって、クエリに応答するデータに包含されるデータベースのデータを識別可能な部位要素を、少なくとも１つのパラメータに基づいて決定することと、第２の用語法構造に含まれる少なくとも１つの参照要素であって、クエリに応答するデータに関連したデータベースのデータを識別可能な参照要素を、少なくとも１つのパラメータに基づいて決定することとのうちの少なくとも一方を含んでもよい。
【０００９】
いくつかの実施例では、本要旨は、次のオプションの特徴のうちの１つ又は複数を含んでもよい。第１の用語法構造は、国際疾病分類（International Classification of Disease：ＩＣＤ−１０）からの用語を含んでもよく、第２の用語法構造は、国際疾病分類−腫瘍学（International Classification of Disease - Oncology：ＩＣＤ−Ｏ）からの用語を含んでもよい。少なくとも１つの部位要素は、患者の身体における腫瘍の部位、腫瘍のタイプ、バイオマーカー、変異、ゲノムのバイオマーカー、ゲノムのバイオマーカーの変異、及びそれらの任意の組み合わせのうちの少なくとも１つを識別してもよい。少なくとも１つの参照要素は、少なくとも１つの部位要素に基づいて決定されてもよい。少なくとも１つの参照要素は、腫瘍ステージ、腫瘍グレード、少なくとも１つの癌特異因子、少なくとも１つの治療、腫瘍再発、少なくとも１つの多発性原発性診断、形態、及びそれらの任意の組み合わせのうちの少なくとも１つを含んでもよい。形態は第２の用語法構造に基づいて決定されてもよい。
【００１０】
いくつかの実施例では、データは、クエリに応答するデータを形態に基づいて選択することにより取得されてもよい。
【００１１】
いくつかの実施例では、少なくとも１つの参照要素は、腫瘍ステージ、腫瘍グレード、少なくとも１つの癌特異因子、少なくとも１つの治療、腫瘍再発、少なくとも１つの多発性原発性診断、及びそれらの任意の組み合わせのうちの少なくとも１つを含んでもよい。少なくとも１つの部位要素は、第１の用語法構造を用いて少なくとも１つのパラメータに基づいて決定された形態を含んでもよい。この形態に対応するデータベースのデータは、クエリに応答するデータに含まれてもよい。
【００１２】
いくつかの実施例では、本要旨は、実行されたときに、１つ又は複数のマシン（例えばコンピュータなど）に本明細書で説明した動作を実行させる命令を具体化する、有形的に具体化された機械可読媒体を実装することができる。同様に、プロセッサと、プロセッサに接続されたメモリとを含んでもよいコンピュータシステムも説明される。メモリは、プロセッサに本明細書で説明した動作のうちの１つ又は複数を実行させる１つ又は複数プログラムを含むことができる。さらに、コンピュータシステムは、単一の命令を複数のデータポイントに並列に適用することができる追加の専用処理装置を含んでもよい。そのような装置はいわゆる「グラフィック処理装置」（ＧＰＵ）を含むが、それに限定されない。
【図面の簡単な説明】
【００１３】
【図１】本要旨のある実施例に係る、臨床試験のための候補を識別する例示的なシステムを示す。
【図２】本要旨のある実施例に係る例示的な方法を示す。
【図３】本要旨のいくつかの実施例に係る、臨床試験のための患者候補の識別を実行する例示的なシステムアーキテクチャを示す。
【図４】癌特異パラメータの情報（すなわち、「原発部位」、「形態」、「診断日」、「ステージ」、「ＴＮＭ」、「グレード」、「癌特異因子」、及び「治療」）を含む、例示的な腫瘍登録チャートを示す。
【図５】図４に示す「治療」ファクタに関して追加の詳細事項のチャートを示す。
【図６】原発性トップレベル部位を組織化して（図４〜図５に示すような）腫瘍登録機関からの個々の観察結果を組織化するために使用可能である、例示的なモデル化処理を示す。
【図７】いくつかの実施例に係る例示的な部位特異的な腫瘍学的データモデルを示す。
【図８】いくつかの実施例に係る例示的な非部位特異的な腫瘍学的データモデルを示す。
【図９】例示的なホジキン病の表を示す。
【図１０ａ】本要旨のいくつかの実施例に係る、様々なクエリに関連付けられたマッピングを含む例示的なインターフェースを示す。
【図１０ｂ】本要旨のいくつかの実施例に係る、様々なクエリに関連付けられたマッピングを含む例示的なインターフェースを示す。
【図１０ｃ】本要旨のいくつかの実施例に係る、様々なクエリに関連付けられたマッピングを含む例示的なインターフェースを示す。
【図１０ｄ】本要旨のいくつかの実施例に係る、様々なクエリに関連付けられたマッピングを含む例示的なインターフェースを示す。
【図１０ｅ】本要旨のいくつかの実施例に係る、様々なクエリに関連付けられたマッピングを含む例示的なインターフェースを示す。
【図１０ｆ】本要旨のいくつかの実施例に係る、様々なクエリに関連付けられたマッピングを含む例示的なインターフェースを示す。
【図１０ｇ】本要旨のいくつかの実施例に係る、様々なクエリに関連付けられたマッピングを含む例示的なインターフェースを示す。
【図１０ｈ】本要旨のいくつかの実施例に係る、様々なクエリに関連付けられたマッピングを含む例示的なインターフェースを示す。
【図１０ｉ】本要旨のいくつかの実施例に係る、様々なクエリに関連付けられたマッピングを含む例示的なインターフェースを示す。
【図１０ｊ】本要旨のいくつかの実施例に係る、様々なクエリに関連付けられたマッピングを含む例示的なインターフェースを示す。
【図１０ｋ】本要旨のいくつかの実施例に係る、様々なクエリに関連付けられたマッピングを含む例示的なインターフェースを示す。
【図１０ｌ】本要旨のいくつかの実施例に係る、様々なクエリに関連付けられたマッピングを含む例示的なインターフェースを示す。
【図１０ｍ】本要旨のいくつかの実施例に係る、様々なクエリに関連付けられたマッピングを含む例示的なインターフェースを示す。
【図１０ｎ】本要旨のいくつかの実施例に係る、様々なクエリに関連付けられたマッピングを含む例示的なインターフェースを示す。
【図１１】本要旨のいくつかの実施例に係る例示的なシステムを示す。
【図１２】本要旨のいくつかの実施例に係る例示的な方法を示す。
【発明を実施するための形態】
【００１４】
本明細書で説明した要旨の１つ又は複数の変形例に係る詳細事項は、添付の図面及び以下の発明の詳細な説明において説明される。本明細書で説明した要旨の他の特徴及び利点は、発明の詳細な説明及び図面、及び特許請求の範囲から明らかになるであろう。
【００１５】
添付の図面は、ここに組み込まれ、本明細書の一部を構成する。添付の図面は、本明細書に開示した要旨の所定の態様を示し、発明の詳細な説明とともに、開示した実施例に関連付けられた原理のうちの一部についての説明を支援する。
【００１６】
いくつかの実施例では、本要旨は、データを処理する方法及びシステムに関し、特に、マスター用語法データモデルを用いてデータを問い合わせることに関する。問い合わせの対象となるデータは、そのようなマスター用語法を用いて構成されてもよく、それは、様々な用語法構造（例えば、ＩＣＤ−９、ＩＣＤ−１０、及びＩＣＤ−Ｏ、及び／又は他の任意の用語法構造及び／又は標準）からの用語の１つ又は複数のマッピング及び／又は１つ又は複数の相互マッピングを含むデータモデルであってもよい。データは、マスター用語法を用いてデータベースにロード及び／又は格納されてもよい。データベースは、データの所有者、ユーザ、及び／又はプロバイダに関連付けられてもよい。例えば、医学分野では、ヘルスケアプロバイダ（例えば、病院、医療クリニック、診療室、研究所、医療サービスプロバイダのネットワークなど、及び／又はそれらの任意の組み合わせがある。
【００１７】
様々なユーザは、自由形式テキスト、マスター用語法に関連付けられた用語、構造化照会言語、など、及び／又はそれらの任意の組み合わせを用いて、格納されたデータを問い合わせてもよい。クエリは、包含／除外基準、人口統計データ、医学的状態、タイミング、などに基づいてもよいが、これらに限定されない。クエリは、ユーザインターフェースを介して入力されてもよく、このユーザインターフェースは、データがアップロード及び／又は格納された場所に（例えば、インターネット、イントラネット、エクストラネット、メトロポリタンエリアネットワーク（「ＭＡＮ」）、ワイドエリアネットワーク（「ＷＡＮ」）、ローカルエリアネットワーク（「ＬＡＮ」）、仮想ローカルエリアネットワーク（「ＶＬＡＮ」）、無線ネットワーク、有線ネットワークなどのようなネットワーク、及び／又は他の任意のネットワーク、及び／又はそれらの任意の組み合わせを介して）通信可能に接続されてもよい。クエリを実行した結果、プロバイダネットワークにおける１つ又は複数のデータベースが検索されてもよい。検索は、ローカルに、及び／又は、ネットワークを介して実行されてもよい。クエリの実行は、単一のデータベース上で、及び／又は、１つ又は複数のデータベース（例えば、複数のデータベースのネットワーク）にわたって実行されてもよい。複数のデータベースのネットワークにおけるデータベースは、上述した１つ又は複数ネットワークを用いて通信可能に接続されてもよい。
【００１８】
検索は、非識別化された患者データ、識別された患者データ、及び／又は他の任意のタイプのデータ、及び／又はそれらの任意の組み合わせへのアクセス及び検索を可能にしてもよい。検索は、様々な統計分析を含む１つ又は複数の結果を生成してもよい。ここで、様々なネットワーク施設及び／又はデータベースからの結果を集約してユーザに提供してもよい。データを検索する例示的な方法は、２０１３年１２月９日に出願されたフサリの米国仮特許出願第６１／９１３８０９号への優先権を主張して２０１４年１２月９日に出願された国際特許出願ＰＣＴ／ＵＳ２０１４／０６９３６９号への優先権を主張して２０１６年６月８日に出願されたフサリらへの同じ出願人による同時係属中の米国特許出願１５／１０２８４８号に開示され、これらの開示内容の全体は参照によってここに組み込まれる。
【００１９】
いくつかの実施例では、本要旨のシステムは、製薬産業、医療産業、リサーチ（例えば、医学、科学、など）リサーチ産業、電気通信産業、学術機関などを含む任意の産業において実施可能であるが、これらに限定されない。以下では、本要旨のシステムの例示的な実施例を、潜在的な癌患者及び／又は彼らの状態の識別に適用可能なものとして、様々な詳細事項とともに説明する。そのような識別は、例えば、２０１３年１２月９日に出願されたフサリの米国仮特許出願第６１／９１３８０９号への優先権を主張して２０１４年１２月９日に出願された国際特許出願ＰＣＴ／ＵＳ２０１４／０６９３６９号への優先権を主張して２０１６年６月８日に出願されたフサリらへの同じ出願人による同時係属中の米国特許出願１５／１０２８４８号に開示されるように、（例えば、薬、医療装置などについて）１つ又は複数の臨床試験、臨床研究、臨床リサーチ、予後リサーチ、母集団健全性及びモニタリング、医療の質などを行う目的で使用されてもよい。これらの開示内容の全体は参照によってここに組み込まれる。
【００２０】
以下の議論は、ＩＣＤ−９、ＩＣＤ−１０、及びＩＣＤ−Ｏ用語法構造及び／又は用語法標準のマッピングを用いて開発されたデータモデルに基づいてロード及び／又は格納されたデータの問い合わせを行うことに関する。マッピングは、データの問い合わせのために使用可能であるマスター用語法になりうる。ＩＣＤ−Ｏは、腫瘍疾患に関する、病気及び関連する健康問題の国際統計分類（「ＩＣＤ」）の領域特異的な拡張である。ＩＣＤ−１０は、病気、徴候及び症状、異常な所見、愁訴、社会的状況、及び傷又は病気の外部原因のためのコードを含み、また、ＩＣＤ−Ｏに含まれる形態コードのリストを含む。問い合わせられるデータは、データプロバイダ（例えば、病院、クリニック、医療設備、及び／又は他の任意の設備）のファイアウォールの背後に配置されてもよく、必要ならば、適切に非識別化されてもよい、連合したデータであってもよい。クエリの結果、例えば、臨床研究、臨床試験、臨床リサーチ、予後リサーチ、母集団健全性及びモニタリング、医療の質などを行う目的で、及び／又は他の任意の目的で、癌患者及び／又は癌特異状態のリストが生成されてもよい。理解されるように、本要旨は上述の例示的な実施例に限定されず、本要旨の処理の他の使用もまた可能である。説明の簡単化のために、以下の議論は臨床試験を参照する。
【００２１】
図１は、本要旨のいくつかの実施例に従って、（例えば、臨床試験の候補を識別する目的で）マスター用語法を用いてデータを問い合わせる例示的なシステム１００を示す。例示的なシステム１００は、２０１３年１２月９日に出願されたフサリの米国仮特許出願第６１／９１３８０９号への優先権を主張して２０１４年１２月９日に出願された国際特許出願ＰＣＴ／ＵＳ２０１４／０６９３６９号への優先権を主張して２０１６年６月８日に出願されたフサリらへの同じ出願人による同時係属中の米国特許出願１５／１０２８４８号に開示され、これらの開示内容の全体は参照によってここに組み込まれる。
【００２２】
システム１００は、１つ又は複数のデータベース１０８及びワークフローエンジン１１０を含んでもよいプロバイダネットワーク１０２と、１つ又は複数のプロバイダ１０４と、１つ又は複数のユーザ１０６とを含んでもよい。プロバイダ１０４は、病院、クリニック、政府機関、個人機関、学術機関、医療専門家、公開会社、非公開会社、及び／又は他の任意の個人及び／又はエンティティ、及び／又はそれらの任意の組み合わせであってもよい。プロバイダネットワーク１０２は、計算装置、サーバ、データベースなどのネットワークであってもよく、これらは、様々なネットワーク通信能力（例えば、インターネット、ローカルエリアネットワーク（「ＬＡＮ」）、メトロポリタンエリアネットワーク（「ＭＡＮ」）、広域ネットワーク（「ＷＡＮ」）、及び／又は有線及び／又は無線を含む他の任意のネットワーク）を用いることにより互いに接続可能である。ネットワーク１０２における一部又はすべてのエンティティは、ネットワーク１０２のユーザが患者に関連するデータを問い合わせて取得できるようにすることができる様々な処理能力を有してもよい。データは、１つ又は複数のデータベース１０８に格納されてもよい。データベース１０８は、データを非識別化することができる場合に、患者に関連する様々なデータを格納するために必要なハードウェア及び／又はソフトウェアを含んでもよい。データは、非識別化されたデータから導出された患者の様々な統計的カウント値を含んでもよい。
【００２３】
ユーザ１０６は、病院、クリニック、政府機関、個人機関、学術機関、医療専門家、公開会社、非公開会社、及び／又は他の任意の個人及び／又はエンティティ、及び／又はそれらの任意の組み合わせを含むがそれらに限定されない、研究者及び／又は他の任意のユーザであってもよい。いくつかの実施例では、１つ又は複数のユーザ１０６は、単一の個人及び／又は複数の個人（及び／又は計算システム、ソフトウェアアプリケーション、ビジネスプロセスアプリケーション、ビジネスオブジェクトなど）であってもよい。１つ又は複数のユーザ１０６は、製薬会社の一部であるようなプロバイダ１０４とは別個のものであってもよく、及び／又は、プロバイダ１０４の一部（例えば、病院、研究所などにおける個人）であってもよい。
【００２４】
非限定的かつ例示的な実施例において、ユーザ１０６は、研究及び／又は分析及び／又はリサーチのためのプロトコルを設計してもよい。研究は、新たな研究、既存の研究、及び／又はそれらの任意の組み合わせを含んでもよい。それは、既存のデータ、取得されるデータ、計画されたデータ、期待されたデータ、仮説、及び／又は他の任意のデータに基づいてもよい。ユーザ１０６は、クエリが１つ又は複数の臨床試験又は他の任意の目的のための候補の識別に関連する可能性がある場合には、１つ又は複数のデータベース１０８に含まれるデータについて問い合わせてもよい。クエリは、任意の既知のコンピュータ言語で書かれてもよく、及び／又は、任意の既知のコンピュータ言語に翻訳されてもよい。クエリは、ユーザのコンピュータ端末上に表示されたユーザインターフェースに入力されてもよい。
【００２５】
いくつかの実施例では、データ、例えば患者データは、データプロバイダの１つ又は複数のデータベースにローカルに格納されてもよい。代替として、データは、遠隔のデータベース及び／又は複数のデータベースのネットワークに格納されてもよい。クエリは、一度に１つのデータベースにおいて実行されてもよく、及び／又は、いくつか又はすべてデータベースにおいて同時に実行されてもよい。ネットワークにおけるデータベースは、異なるプロバイダに関連付けられてもよい。
【００２６】
いくつかの実施例では、本要旨は、ユーザ及び／又はプロバイダ及び／又は他の任意のサードパーティーが、１つの言語、フォーマットなどでクエリを生成し、このクエリを要求されたデータを含む場所の言語、フォーマットなどに翻訳し、クエリの発行者への出力を生成できるようにしてもよい。これは、ユーザ１０６及び／又はプロバイダ１０４の間の滑らかな相互作用を可能にすることができる。すなわち、プロバイダは、ユーザのクエリに対して、ユーザ自体の言語、フォーマットなどへの任意の種類の翻訳を実行することを必要としない。いくつかの実施例では、システム１００は、プロバイダのデータと、それがどのように格納されるか（例えば、場所、言語、フォーマット、構造など）と、どのようにそれの問い合わせを行うべきかとに関する情報を格納するように構成されてもよい。いくつかの実施例では、プロバイダ及び／又はユーザは、それらがどのようにデータのクエリが入力されるべきであると望むかに関してシステム１００にそれらの要件及び／又は選好を入力してもよい。この情報は、ユーザ／プロバイダによって手動で及び／又は自動的に提供されてもよい。いくつかの実施例では、システム１００は、クエリを１つのシステム（例えばユーザシステム）からもう１つのシステム（例えばプロバイダシステム）に、及びその逆に翻訳するために使用可能である用語の辞書を含んでもよい。辞書は、ユーザ及び／又はプロバイダによって使用されてもよい用語の間の様々な相違を解消することを支援することができる。上述の機能は、ネットワーク１０２へ統合されてもよく、及び／又はワークフローエンジン１１０の一部であってもよい。いくつかの実施例では、検索の結果（それはそのデータに関連する可能性があり、非識別化されている）は、中央で格納されてもよい。
【００２７】
システム１００及びそのネットワークプロバイダ１０２は、プロバイダ間の活動、及び／又は、製薬会社及びプロバイダの間の活動を調整するために使用可能であるワークフローエンジン及び計算プラットフォーム１１０をさらに含んでもよい。ワークフローエンジン１１０は、クエリを受信、フォーマット、実行、送信などすることができ、クエリの結果を受信、フォーマットなどすることができる計算インターフェース（例えばアプリケーションプログラミングインターフェース）及び／又は他の任意の計算機構であってもよい。ワークフローエンジン１１０は、データ要求が効率的に処理されることを保証するために、データ要求、クエリ、データ分析、及び／又は出力を調整してもよい。例えば、製薬会社における研究者がチャートレビューを開始することを望む場合、ワークフローエンジン１１０は、チャートレビューの実行、応答の調整、及び要求者への結果の返信を行うことができる１つ又は複数のデータプロバイダへの要求の調整を管理することができる。いくつかの例示的な実施例において、研究者をプロバイダに接続することは、研究者がチャートレビューを実行できる前に、プロバイダの組織内の複数の承認を必要とする場合がある。
【００２８】
システム１００は、例えば、異なる組織における臨床研究者が、多数の異なる目的で大量の医療記録及び患者病歴のマイニングを行うことを可能にするように設計されてもよい。製薬会社における研究者は、臨床試験設計を改善するために本システムを使用し、市販のための臨床試験を行う際に試験を修正したり価値のある時間及び金銭を失ったりする可能性を回避することができる。病院の研究者は、所定の疾患と、患者の広い母集団にわたる治療の有効性とについて、同様にネットワーク１０２の一部である他の選択された病院と協力してもよい。病院及びプロバイダは、それら自体の患者データベースを検索するためにシステムを使用してもよい。理解されるように、他のユーザは、必要な情報を取得するためにシステムを使用してもよい。
【００２９】
本要旨のシステム１００は、患者データがプロバイダのデータセンターから決して離れない複数のプロバイダ組織のネットワークを統合してもよい。クエリは、複数のプロバイダにわたってリアルタイムで連合されてもよく、クエリに基づいた結果の集約されたカウント値及び他の統計特性のみが、ユーザに返信される。簡単な例は、糖尿病と診断された４０歳及び５０歳の間のすべての人々に対するクエリであってもよい。返信されるものは、その診断を有し、４０歳及び５０歳の間にいる人々のカウント値であってもよい。他の統計情報からなる組が返信されてもよい（例えば、何人の男性がいるか、何人の女性がいるか、より細かい粒度の年齢分類、患者が受けている異なる薬物療法のカウント値、など）。
【００３０】
システム１００は、ウェブアプリケーションとしてエンドユーザへ配信されてもよく、クラウドでホスティングされてもよい。システムは、クラウドホスティングサービスでホスティングされてもよく、データプロバイダのファイアウォールの背後に展開されてもよいソフトウェアを含んでもよい。いくつかの実施例では、セキュリティが確保された及び／又は専用のネットワークを実装してもよく、それによって、ネットワーク及び／又はそこに含まれていたデータへのアクセスを、ネットワークのメンバーに制限することができる。いくつかの実施例では、プロバイダのファイアウォールの背後では、特別なソフトウェア及び／又はハードウェア及び／又はそれらの任意の組み合わせが必要とされなくてもよい。いくつかの実施例では、データプロバイダは、病院、学術機関、政府機関、公開会社及び／又は非公開会社、クリニック、医療プロバイダ、臨床データのサードパーティーアグリゲータ、及び／又は他の任意の個人及び／又はエンティティであってもよい。
【００３１】
図２は、本要旨のいくつかの実施例に係る１つの例示的な方法２００を示す。例示的な処理２００は、２０１３年１２月９日に出願されたフサリの米国仮特許出願第６１／９１３８０９号への優先権を主張して２０１４年１２月９日に出願された国際特許出願ＰＣＴ／ＵＳ２０１４／０６９３６９号への優先権を主張して２０１６年６月８日に出願されたフサリらへの同じ出願人による同時係属中の米国特許出願１５／１０２８４８号に開示され、これらの開示内容の全体は参照によってここに組み込まれる。２０２において、ユーザ１０６は、臨床研究の目的及び／又は仮定及び／又は他のパラメータに基づいてクエリを生成することができる。２０４において、クエリはネットワーク１０２に送信することができる。クエリは、包含／除外基準、人口統計データ、医学的状態、病気の態様、などに基づいてもよいが、これらに限定されない。２０６において、１つ又は複数のデータベース１０８の検索を行うことができる。検索は、ローカルに実行すること、又は、複数のデータベースからなるネットワークを介して実行することが可能であり、非識別化された患者データを検索することが可能である。２０８において、検索は、様々な統計分析を含む結果を生成することができる。ここで、様々なネットワーク施設及び／又はデータベースからの結果を集約してユーザ１０６に提供することができる。
【００３２】
いくつかの実施例では、ユーザは、選択された様々なネットワークサイトに格納されてもよいデータに対するクエリを実行することができる。これにより、患者動員の実現可能性、試験設計、及び／又は部位選択についてユーザらが協力できるようになる。
【００３３】
いくつかの実施例では、いくつかの例示的なユーザ１０６は、臨床試験の設計及び実行をサポートするヘルスケア組織との間でリサーチ及びワークフローの調整を行うために結果として生じるデータを利用可能であるバイオ技術及び製薬組織における個人及び／又はエンティティを含んでもよいが、これに限定されるものではない。いくつかの実施例では、バイオ技術及び／又は製薬会社のユーザは、非識別化又は識別された患者データにけっしてアクセスすることができず、彼らは、複数のプロバイダにわたる患者母集団に関する統計情報（カウント値）へのアクセスのみを有してもよい。
【００３４】
いくつかの実施例では、いくつかの例示的なユーザ１０６は、自分のリサーチを開始すること、あるいはワークフロー活動において会社のユーザと協力することに興味を持っているプロバイダ組織における研究者／調査者を含んでもよいが、それらに限定されるものではない。これらのユーザは、個々のプロバイダによって強化されたポリシーの特性へ依存して、非識別化及び／又は識別された患者データにアクセスしてもよい。理解されるように、他のユーザ及び／又は複数のユーザのグループは、データへの様々なアクセス権を有してもよい。いくつかの実施例では、特定のユーザは、特定のデータへのアクセスについて許可されてもよいが、データベースに格納されてもよい他のデータへのアクセスから除外されてもよい。
【００３５】
いくつかの実施例では、本要旨は探索的リサーチをサポートしてもよい。探索的リサーチは、母集団における患者の様々な属性（例えば、医学的状態、年齢、場所、プロバイダとの関係、など）を含む、患者候補の母集団をユーザが確認できるようにすることが可能である。例えば、癌患者のための研究を考慮する場合、研究医師は、癌診断を有する患者のコホートを識別し、次に、所定範囲の薬物療法、研究所、併存症、処置、及び／又はコホートの他の任意の特性を探索してもよい。
【００３６】
いくつかの実施例では、クエリに応答するデータは、ユーザフレンドリーかつ直観的な方法で表されてもよい。例えば、ＩＣＤ−９、ＩＣＤ−１０、ＩＣＤ−Ｏのような標準的な臨床コーディング方式を用いて、及び／又は、診断のための他の任意のタイプのコーディング、臨床検査及び結果のためのＬＯＩＮＣコード、処置のためのＣＰＴコード、及び薬物療法のためのＲｘＮｏｒｍ（又はある場合ＳＮＯＭＥＤ）を用いて、データを符号化してもよい。理解されるように、クエリに応答するデータを符号化する他の任意の方法が使用されてもよい。クエリを実行するユーザは特定のコードを知る必要はないが、それらが既知であれば、それらは正しい用語を発見するために使用されてもよい。いくつかの実施例では、本要旨は、ユーザが任意の用語をタイプし始めることを可能にすることができる自動補完機能を含んでもよく、システムは、ヒューリスティックなマッチング論理に基づいて同様の用語をリスト表示することにより、システムの使用を促進し、かつ、必要な基準の指定を簡単化してもよい。各用語について、ユーザは、何百万ものアクセス可能な非識別化された患者記録のネットワーク全体にわたって、何人の患者がその特定の診断、臨床検査、処置、薬物療法の処方箋などを有するのかを認識してもよい。
【００３７】
いくつかの実施例では、ユーザによって実行されたクエリ及び／又はそれらの結果は、ユーザが行うことを望む研究に関連づけられたものとして格納されて識別されてもよい。情報はデータベース及び／又は他の任意の記憶場所に格納されてもよい。クエリ及び対応する結果は、様々なパラメータ、例えば、識別された患者、医学的状態、場所などに基づいて比較されてもよい。いくつかの実施例では、クエリ及び／又は研究の結果は、サードパーティーと共用されてもよく、研究に関連する様々な活動を追跡するために使用されてもよい。
【００３８】
いくつかの実施例では、本要旨は、次の機能のうちの少なくとも１つを提供してもよい：クエリ構築、結果報告、プロバイダ共同研究、データ品質及びオントロジーツール、管理ツール、開発インフラストラクチャ、予備的チャートレビュー、施設の識別／選択、ピアレビュー、患者募集、及び他の機能。
【００３９】
いくつかの実施例では、クエリ構築機能は、以下のもののうちの少なくとも１つを含んでもよい：クエリ用語の自動補完、各クエリ用語に一致する患者の人数の提供、適用可能であるときのクエリ用語へのパラメータの適用、任意のクエリ用語の日付範囲の指定、クエリ用語へのブール論理の適用、クエリ履歴の自動追跡、及び／又は他の任意の機能。これらは、以下でさらに詳細に議論される。結果報告機能は、以下のもののうちの少なくとも１つを含んでもよい：クエリ基準に一致する患者の人数の供給、年齢及びジェンダーの分類の提供、プロバイダによる患者カウント値の提供、患者の診断／併発症の提供、患者の臨床検査結果及び／又は値の提供、患者の薬物療法及び／又は処置の提供、及び／又は他の任意の機能。これらは、以下でさらに詳細に議論される。プロバイダ共同作業機能は、以下のもののうちの少なくとも１つを含んでもよい：プロバイダのネットワークの作成、研究分野に対する検索基準の拘束、プロバイダの追跡活動、メンバーシップワークフロー処理のグループ化、及び／又は他の任意の機能。データ品質及びオントロジーツールは、以下のもののうちの少なくとも１つを含んでもよい：マスターオントロジーを開発及び／又は管理するツール、マスターオントロジーへのマッピング、異常及び／又は矛盾に関する情報の提供、性能を検証するためのオンボードプロバイダに対するクエリハーネスのテスト、など。管理ツールは、以下のもののうちの少なくとも１つを含んでもよい：プロバイダ及びユーザ管理、プロバイダセットアップ及び構成、システムモニタリング、アプリケーション及び／又はシステムエラーの発生時におけるインフラストラクチャ通知、監査ログアクセス及び／又はレビュー、など。開発インフラストラクチャ機能は、以下のもののうちの少なくとも１つを含んでもよい：開発ツール及びインフラストラクチャ、欠陥追跡、開発及びテスト環境、自動ビルド及び回帰テスト、ソースコード管理、など。
【００４０】
図３は、本要旨のいくつかの実施例に係る、（例えば、２つ以上の登録機関（例えばＩＣＤ−１０及びＩＣＤ−Ｏ）のマッピングの結果として生成された）データモデルに従ってデータベースに格納されたデータの問い合わせのための例示的なシステムアーキテクチャ３００を示す。本システムは、ブラウザ構成要素３０２、ワークフローエンジン３０６を含んでもよいプラットフォーム構成要素３０４、ファイアウォール構成要素３０８、及びプロバイダ構成要素３１０を含んでもよい。ブラウザ構成要素３０２は、クエリを生成し、様々なデータにアクセスし、及び／又は他の任意の機能を実行するために、（図１に示す）ユーザ１０６によって使用されてもよい。プラットフォーム構成要素３０４は、ソフトウェア、ハードウェア、及び／又はそれらの任意の組み合わせであってもよく、（図１に示す）プロバイダネットワーク構成要素１０２に含まれてもよい。ここで、ワークフローエンジン３０６は、（図１に示す）ワークフローエンジン１１０と同様であってもよい。プラットフォームは、プラットフォームを使用するエンティティがそれ自体のユーザ、それ自体のアクセス制御を管理すること及び／又はそれ自体の構成を制御することができる、ソフトウェア・アズ・ア・サービス（「ＳａａＳ」）プラットフォームであってもよい。プロバイダ３１０は、プロバイダからプラットフォーム３０４及びユーザ３０２へのアクセスと、その逆のアクセスとを提供してもよいプラットフォームエージェント３１２を含んでもよい。エージェント３１２は、ソフトウェア、ハードウェア、及び／又はそれらの任意の組み合わせであってもよい。いくつかの実施例では、エージェント３１２はプロバイダシステムにインストールされてもよい。代替として、エージェント３１２が使用されず、プロバイダは直接的にプラットフォーム３０４にアクセスしてもよい。
【００４１】
ファイアウォール３０８は、プロバイダ３１０、ユーザ３０２、及びプラットフォーム３０４の間で交換されているデータに対して適切なセキュリティを提供してもよい。いくつかの実施例では、プラットフォーム３０４によって交換及び／又はアクセスされるデータのセキュリティを向上させるために、プロバイダシステムにインストールされたエージェント３１２は、リッスンするいかなる通信ポートを開くことも必要とせずに、プラットフォーム３０４と通信してもよい。いくつかの実施例では、識別及び／又は非識別化された任意の患者データは、その情報にアクセスする特定の認可を受けていない限り、プロバイダのデータセンター及び／又は制御から決して出なくてもよい。患者データ及び／又はプラットフォーム３０４へのすべてのアクセスは、セキュリティが確保された認証を必要とする可能性があり、すべての活動は監査されてもよい。
【００４２】
いくつかの実施例では、プラットフォーム３０４は、企業アプリケーションと、クラウドにホスティングされたマルチテナントのＳａａＳアプリケーションとの組み合わせであってもよい。クラウドにホスティングされたＳａａＳインフラストラクチャは、コア管理及び／又は管理サービス、臨床リサーチのためのウェブアプリケーションを提供してもよく、及び／又は、様々なワークフロー活動を調整するワークフロー活動を管理してもよい。いくつかの実施例では、プラットフォーム３０４は、クラウドにホスティングされたリレーショナルデータベースのインスタンスであってもよいデータベース（例えば図１に示すデータベース１０８）を含んでもよい。このデータベースは、クエリ、クエリ結果、ユーザ識別情報、構成情報、マスターオントロジー、データマッピング、メタデータなどを格納してもよい。このデータベースは、高可用性のために、自動的に複製されてバックアップされてもよい。
【００４３】
いくつかの実施例では、本要旨は、腫瘍特異の用語法及び／又は関連する概念のすべてについて、直観的な方法で、ユーザが問い合わせ及び／又はナビゲートすることを可能にする。問い合わせ／ナビゲーションは、固形及び／又は流体に基づく腫瘍及び／又は他の任意の癌（及び／又は他の任意のタイプの病気）について実行されてもよい。本要旨のシステムを用いて、ユーザは、腫瘍患者の臨床的特徴についての理解を得ることもできる。本要旨は、臨床データを組織化して分析するためのツールになりうる、生物学及びベッドサイドを統合するための情報科学（informatics for integrating biology and the bedside：「ｉ２ｂ２」）を用いて実施されてもよい。ユーザが問い合わせることができるデータは、プロバイダに送られて、ｉ２ｂ２腫瘍学オントロジーを用いてロードされてもよい。
【００４４】
腫瘍学データは、典型的には、部位、形態（組織構造及び挙動）、グレード、進行度分類、癌特異因子、治療、再発、多発性原発性診断などのような特定のパラメータを用いて組織化される。これらのパラメータのそれぞれについて以下で議論する。
【００４５】
［部位］
世界保健機構は、国際疾病分類−腫瘍学（International Classification of Disease - Oncology：ＩＣＤ−Ｏ）と呼ばれる標準を有する。ＩＣＤ−Ｏには、腫瘍部位又はトポロジーの記述が符号化されている（例えば、http://codes.iarc.fr/topographyを参照）。乳房、結腸、前立腺などのような、７０個のトップレベルの原発性疾患部位がある。コードは、文字Ｃから開始し、その後に２桁の数字が続く（例えば、結腸はＣ１８である）。各トップレベル部位はサブ部位へ細分される。例えば、結腸は、上行、横行、及び下行結腸セグメントへ細分される。それらは、文字Ｃと、その後に続く２桁の数字と、その後に続くピリオド及びさらに１つの数字とによって符号化される（例えば、Ｃ１８．１、Ｃ１８．２、など）。
【００４６】
［形態］
同じＩＣＤ−Ｏ標準は、腫瘍組織及び挙動の記述を有する。腫瘍組織タイプまたは組織構造は、腫瘍を備えるセルの種類を記述する。ＩＣＤ−０は、腺癌、肉腫、神経芽細胞腫などのような、１７４個の主要な組織構造を有する。これらは、８００から９９９までの３桁の数字コードによって表される。各主要な組織構造は、より具体的な組織構造へ細分され、４桁のコードによって表される。例えば、腺癌（例えば８１４）は、硬腺癌（例えば８１４１）、単形性腺腫（例えば８１４６）、基底細胞腺癌（例えば８１４７）などのような組織構造へ細分される。
【００４７】
腫瘍挙動は、腫瘍の侵入性の程度を特徴づける。様々なタイプの腫瘍挙動があり、それぞれ、以下の非限定的な例のような、１桁の数字コードによって表される。
【００４８】
・  ０：良性新生物
・  １：不明かつ未知の挙動の新生物
・  ２：生体内原位置の新生物
・  ３：原発性であると述べられた、又は推定された悪性新生物
・  ６：続発性であると述べられた、又は推定された悪性新生物
【００４９】
ＩＣＤ−Ｏは、組織構造及び挙動を単一のコードへ組み合わせ、これは形態と呼ばれ（例えば、http://codes.iarc.fr/codegroup/2を参照）、これらはともに腫瘍形態として知られる。形態コードは、４桁の組織構造コードと、その後に順方向スラッシュで分離された挙動コードとである。例えば、８５００／２は、乳管内上皮内癌（「ＤＣＩＳ」）、一般的なタイプの乳癌である。
【００５０】
各身体部位において、癌は特定の種類の形態で発生する可能性があり、形態は部位によって異なる。各トップレベル部位について、当該部位に適用可能な形態コードの関連付けられたリストがある。
【００５１】
［グレード］
形態に加えて、腫瘍のもう１つの有用な記述は、それらのグレードであり、これは、複数の細胞がそれらの分化を失う程度として定義される。グレードのリストはＩＣＤ−Ｏによって提供され、これらの値に決められる。
【００５２】
・  １：低グレード−よく分化している
・  ２：中グレード−中程度に分化している
・  ３：高グレード−分化が不十分である
【００５３】
［進行度分類］
腫瘍進行度分類は、病気の全体的な重症度を記述するために使用される。ステージは癌の部位によって変化するが、全体的な類似性がある。ステージ０は、典型的には、小さな非侵入性の腫瘍（上皮内癌）であり、ステージＩ、ＩＩ、及びＩＩＩは、腫瘍サイズが増大して周囲の組織に侵入するような、より広範囲の病気であり、ステージＩＶは、離れた組織又は器官に伝播したか、転移した癌を表す。ステージは、ＴＮＭとして知られた体系によって決定される。ＴＮＭは、３つの変数、すなわち、腫瘍サイズ（「Ｔ」）、リンパ節の関与（「Ｎ」）、及び転移の存在（「Ｍ」）の組み合わせである。ＴＮＭは、今日において使用されている支配的な進行度分類体系である。癌進行度分類体系の開発の背後には、２つの組織、すなわち、国際対癌連合（Union for International Cancer Control：「ＵＩＣＣ」）及び米国対癌合同委員会（American Joint Committee on Cancer：「ＡＪＣＣ」）がある。これらの組織は、１９８７年に、それらの努力を単一の体系へ統一することに合意した。ＩＣＤ−Ｏ標準では腫瘍進行度分類が表されないことに注意する。
【００５４】
［癌特異因子］
腫瘍登録機関は、追加の癌特異情報を収集する。これらのデータは、北米癌中央登録所協会（North American Association of Central Cancer Registries：「ＮＡＡＣＣＲ」）においてエンティティ／値のペアとしてモデル化される。各癌は、可変な個数のこれらの「因子」又は質問と、回答のための予め定義された語彙（典型的には、列挙された回答のリスト）とを有する。特定の因子において収集されたデータは、個々の癌にとって大きな重要性を有する。残念ながら、ＩＣＤ−Ｏのトップレベル部位と、ＮＡＡＣＣＲの癌特異因子との間に直接的なマッピングは存在せず、それらを手動でリンクする必要がある。
【００５５】
［治療］
次のトップレベル治療法が利用可能である。
【００５６】
・  化学療法
・  診断（例えば生検）
・  内分泌腺治療
・  ホルモン療法
・  免疫療法
・  他の治療
・  緩和
・  放射線
・  手術
・  移植手術
【００５７】
これらのうちのいくつかは子ノードを有する。例えば、化学療法の下には、「化学療法、複数の薬剤（組み合わせ治療計画）」及び「化学療法、単一の薬剤」が発見される。（手術の前及び／又は後に化学療法又は放射線が与えられるような）治療のシーケンスが注目されてもよい。この治療情報は臨床試験適格基準において指定されてもよく、患者は、未治療であるか（以前に治療されていない）、難治性であるか（以前の治療への反応がない）のいずれかでなければならない。治療は、ＩＣＤ−９処置データから取得されてもよく、また、腫瘍登録機関データからより直接的に利用可能であってもよい。
【００５８】
［再発］
再発は、腫瘍の、局所での、領域性の、又は離れた部位での最初の再発を記述する。月数を値とする修飾子「初診から最初の再発までの月数」がある。
【００５９】
［多発性原発性診断］
次の事実が多発性原発性に関して利用可能である。
【００６０】
・  多発性悪性原発性
・  多発性非悪性原発性
・  単一の悪性原発性（多発性ではない）
・  単一の非悪性原発性（多発性ではない）
【００６１】
典型的には、腫瘍学的データを探すユーザは、トップレベル部位を検索し、それらはクエリービルダにおける「概念」として作用し、他のすべての（又は大部分の）腫瘍学的データは、そのトップレベル概念に基づいて選択される。いくつかの実施例では、本要旨は、特定の腫瘍学的診断に基づかないかもしれないデータをユーザが検索することを可能にする。ユーザは任意の検索語を入力することができ、それは、任意のレベル及び／又は任意のタイプの情報（例えば、部位、診断、治療、バイオマーカー、ゲノムバイオマーカー、ゲノムバイオマーカー変異、腫瘍バイオマーカーなど：それらはＩＣＤ−１０／ＩＣＤ−Ｏに結び付け及び／又はマッピングされてもよく、されなくてもよい）に対応し、ユーザは関連するデータ（例えば、同様のバイオマーカーを有する患者、など）を取得することができる。いくつかの実施例では、本要旨は、プロバイダ（例えば病院、クリニックなど）が本要旨で定義された方式に従ってそれらのデータをロードすることを可能にする。この方式は、ユーザが意味のあるクエリを組み立てるために複数の符号化体系を横断的に検索しなくてもよいようなモデルをもたらす用語のマッピングに基づいて開発されてもよい。
【００６２】
図４は、癌特異パラメータの情報（すなわち、「原発部位」、「形態」、「診断日」、「ステージ」、「ＴＮＭ」、「グレード」、「癌特異因子」、及び「治療」）を含む、例示的な腫瘍登録チャート４００を示す。図４に示すように、例示的な癌は、ＩＣＤ−Ｏ部位として識別された原発部位と、４００のＮＡＡＣＣＲ値とを有する。その形態パラメータは、５２１の値を有するＩＣＤ−Ｏ形態であり、それは癌の組織構造及び挙動を表す。（特定のデータについて診断された）癌のステージパラメータは、９１０の病理学的ＮＡＡＣＣＲ値と、９７０の臨床的値とを有する。ＴＮＭパラメータもまた、病理学的ＮＡＡＣＣＲ値（例えば、８８０、８９０、及び９００）と、臨床的ＮＡＡＣＣＲ値（例えば、９４０、９５０、９６０）とを識別する。グレード及び癌特異因子のパラメータもまた、対応する値（例えば、それぞれ４４０及び２８６１−２９３０）を含む。これらのパラメータのそれぞれは、特定の日付に診断された可能性がある癌の様々な特性を示す。
【００６３】
図５は、図４に示す「治療」パラメータに関して追加の詳細事項のチャート４００を示す例示的なチャート５００である。図５に示すように、詳細事項は、「治療状態」、「原発部位の手術」などを含んでもよい。図５に示すパラメータのそれぞれもまた、対応するＮＡＡＣＣＲ値及びＮＡＡＣＣＲ日付値を有する。例えば、「治療状態」パラメータは１２８５のＮＡＡＣＣＲ値を有してもよく、「原発部位の手術」は、日付値１２００とともに、１２９０のＮＡＡＣＣＲ値を有してもよい。図４〜図５に示すように、各因子は、特定のＮＡＡＣＣＲコード及び標準に関連付けられてもよい。付録Ａに、例示的な腫瘍用語構造解析を示す。
【００６４】
図６は、本要旨のいくつかの実施例に従って、（図４〜図５に示すような）腫瘍用語法構造からの原発性トップレベル部位及び個々の観察結果を組織化するために使用可能である、例示的なモデル化処理６００を示す。図６に示すように、モデルは構造６０２（例えば腫瘍用語法構造）を含んでもよく、それはさらに、１つ又は複数のレベル又はノード６０３及び６０１（ａ、ｂ、ｃ、ｄ、ｅ、ｆ）を含んでもよい（以下の説明では、用語「レベル」及び「ノード」は交換可能に使用される）。ノード６０３は、構造６０２の中心ノード又はルートノードになってもよく、ノード６０１は、ノード６０３に関連及び／又は依存してもよい。腫瘍用語法構造６０２は、特定の癌についての原発部位（例えばＣ５０）ノード６０３を含んでもよい。原発部位ノード６０３は、部分部位ノード６０１ａ、形態（例えば、Ｃ５０｜８５００／３）ノード６０１ｂ、ステージ及びＴＮＭ（例えば、Ｃ５０｜Ｓ１Ａ）ノード６０１ｃ、グレード（例えば、Ｃ５０｜Ｇ２）ノード６０１ｄ、１つ又は複数の治療ノード６０１ｅ、及び癌特異因子ノード６０１ｆを含んでもよい。本要旨は、腫瘍用語法構造６０２を階層的表現データモデル６０４へ再構成又は組織化するために使用可能であり、そこでは、各部位ノード６０３は、ルートノードになってもよく、また、１つ又は複数の部分部位、１つ又は複数の形態、１つ又は複数のステージ／ＴＮＭ、１つ又は複数のグレード、１つ又は複数の癌特異因子、及び１つ又は複数の治療ノード６０１に関連付けられてもよい。
【００６５】
いったんデータが階層的表現データモデル６０４に組織化されると、データモデル６０４はデータプロバイダ（例えば病院、クリニックなど）に提供されてもよい。ここでは、提供されたデータモデルに従って、それらのデータをそれらのデータベース（例えば連合されたデータベース）にロードさせることを目的としている。プロバイダのデータベース及び／又は他のタイプの記憶構造は、データモデル６０４を用いて構成されてもよい。癌症例（及び／又は他の任意の病気）に関する任意の既存の情報及び／又は新たな情報は、データモデル６０４を用いて変換及び格納されてもよい。
【００６６】
いくつかの実施例では、いったん、提供されたデータモデル６０４に従って、データがプロバイダのデータベースへアップロードされると、ユーザは、（ＩＣＤ−１０−ＣＭ診断用語法などを用いて）関心対象の癌を検索して発見してもよい。いくつかの実施例では、用語法は同義語を用いて拡充されてもよい。ＩＣＤ−９−ＣＭは、用語法へインターリーブされてもよく、及び／又は、一般等価マッピング（general equivalence mappings：「ＧＥＭ」）に基づいてカスタマイズされてもよい。ＧＥＭは、例えばＩＣＤ−９及びＩＣＤ−１０の間の横断を実行可能であるマッピングツールになりうる。
【００６７】
いくつかの例示的な実施例において、ＩＣＤ−１０−ＣＭ  Ｃ００−Ｄ４９の概念は、ＩＣＤ−Ｏ部位、ＩＣＤ−Ｏ形態、及び／又はそれらの両方に（部位及び／又は形態のどちらが１次マッピングであるかの指標とともに）マッピングされてもよい。いくつかの実施例では、マッピングは次のものによって拡充されてもよい。ＩＣＤ−１０−ＣＭの子ノードからの継承、ＩＣＤ−Ｏ形態からＩＣＤ−Ｏ部位への既知の関係、インスタンス患者データ、同義語、及び／又は他の任意の情報。適切なマッピングを備えたＩＣＤ−１０−ＣＭ診断を選択することは、腫瘍登録機関により導出された観察を用いてユーザがさらに癌を修飾することを可能にする。図１０ａ〜図１０ｎに例示的なマッピングを示す。
【００６８】
図７は、いくつかの実施例に係る例示的な部位特異的な腫瘍学的データモデル７００を示す。データモデル７００は、ユーザによって入力されてもよい及び／又はシステム（例えば図１及び図３に示すシステム）によって供給されてもよい検索語に基づいて、検索クエリを生成するために使用されてもよい。データモデル７００は、データ（例えば、１人又は複数の特定の患者、任意の患者のコホート、などに対する腫瘍診断に関するデータ）を検索するためのクエリを生成するために、システムによって格納、使用、及び／又は実装されてもよい。
【００６９】
いくつかの実施例では、データモデル７００は、トップレベル／ノード７０２、従属レベルノード７０４及び７０６を含んでもよく、従属レベル／ノード７０６もまた従属レベル／ノード７０８〜７１６を有してもよい。トップレベルノード７０２は、例えば、ＩＣＤ−１０診断に対応するトップ又は子レベル／ノードを表してもよい。ノード７０４もまた、ＩＣＤ−Ｏ部位に対応するトップ又は子レベル／ノードであってもよい。それは、「包含」関係を介してノード７０２に関連付けられてもよく、例えば、ＩＣＤ−１０診断は、１つ又は複数（例えば、整数ｍについて、０−ｍ）のＩＣＤ−Ｏ部位を「包含」してもよい。
【００７０】
さらに、ノード７０２は、「参照」関係を介してノード７０６に関連付けられてもよい。ノード７０６は、例えば、ＩＣＤ−Ｏトップレベル部位に対応するトップレベル部位であってもよい。これは、ＩＣＤ−１０診断が、ＩＣＤ−Ｏトップレベル部位に対して１つ又は複数の参照関係（例えば、整数ｎについて、０−ｎ）を有しうることを意味してもよい。付録Ａで示すように、ＩＣＤ−Ｏは階層的構造として組織化され、したがって、トップレベル部位は、その階層的構造においてＩＣＤ−１０診断７０２が「参照」を有する可能性がある特定のレベルを代表してもよい。同様に、ＩＣＤ−Ｏ部位７０４は、階層的構造においてＩＣＤ−１０診断７０２が「包含」する可能性があるレベルを代表してもよい。
【００７１】
ＩＣＤ−Ｏトップレベル部位ノード７０６はさらに、「関連」関係を介してノード７０８〜７１６に関連付けられてもよい。例えば、ＩＣＤ−Ｏトップレベル部位ノード７０６は、ステージノード７０８（例えば癌のステージ）、グレードノード７１０（例えば癌のグレード）、１つ又は複数の癌特異因子（cancer specific factor：「ＣＳＦ」）ノード７１２（例えば、特定の癌の診断に関連付けられた癌特異因子）、１つ又は複数の治療ノード７１４（例えば、特定の癌の診断、及び／又は、癌のタイプ、ステージ、グレードなどを有する１人又は複数の患者に対して実行及び／又は推薦されてもよい治療）、及びＩＣＤ−Ｏ形態ノード７１６に関連してもよい。
【００７２】
したがって、クエリのための検索語が受信されたとき、本要旨のシステムは、ＩＣＤ−１０診断に関連付けられた識別子又はコードに対応する可能性があるクエリを生成してもよく、それは、ＩＣＤ−Ｏ部位に関連付けられた任意の識別子又はコードを「包含」してもよく、及び／又は、ＩＣＤ−Ｏトップレベル部位識別子を「参照」してもよく、次いで、それは、ステージ、グレード、ＣＳＦ、１つ又は複数の治療、及び／又はＩＣＤ−Ｏ形態に関連付けられた任意の「関連」する識別子又はコードを含んでもよい。さらに、特定のＩＣＤ−１０診断の選択に際して、本要旨は、他のＩＣＤ−Ｏタイプの情報を自動的に包含するクエリを生成してもよい。この方法で、ユーザは、そのようなＩＣＤ−Ｏ情報を自動又は手動で追加する必要はない。したがって、クエリのために、ユーザは、ＩＣＤ−１０符号化方式のみを知っていればよい。「参照」及び「関連」のノードは、クエリに包含されてもよい選択された１つ又は複数のステージ、１つ又は複数のグレード、１つ又は複数のＣＳＦ、１つ又は複数の治療、ＩＣＤ−Ｏ形態の１つ又は複数の識別子又はコード７０８〜７１６の生成に使用されてもよい。これらは、「包含」される部位ノードを用いてマスター用語法構造において予め定義されてもよく、それによって、子ノードを「歩きまわる」ことで、一意の部位識別子／コードを取得してもよく、及び／又は、すべての部位識別子／コードを３文字レベルのＩＣＤ−Ｏ部位コードに切り詰めてもよい。ユーザが選択したステージ、グレード、ＣＳＦ、治療、形態の識別子／コードのそれぞれについて、クエリを生成するとき、クエリ用語は各「参照」部位７０６について生成されてもよい。上述したように、１つ又は複数のＩＣＤ−Ｏトップレベル部位７０６は、「関連」する１つ又は複数のサブレベルノード、すなわち、ステージ７０８、グレード７１０、癌特異因子７１２、治療７１４、及びＩＣＤ−Ｏ形態７１６を含んでもよい。
【００７３】
例えば、部位特異的な腫瘍学的データモデル７００を仮定すると、ＩＣＤ−１０診断ノード７０２としてＣ５０が選択される。さらに、ステージ２（「Ｓ２」）、ステージ３（「Ｓ３」）、癌腫ＮＯＳ（「８０１０／２」）、上皮内癌ＮＯＳ（「８０１０／３」）が子ノード（例えば子ノード７０８及び７１２）として選択され、所望のデータを検索するクエリは、以下の方法で生成されてもよい。
【００７４】
ICD-10:C50 or TR:C50 or ICD-10:C50.1 or TR:C50.1 or ICD-10:C50.2 or TR:C50.2
and TR:C50|S2 or TR:C50|S3
and TR:C50|8010/2 or TR:C50|8010/3
【００７５】
上述のクエリにおいて、「ICD-10:C50」、「ICD-10:C50.1」、及び「ICD-10:C50.2」は、ＩＣＤ−１０診断部位に対応してもよく、ここで、「ICD-10:C50」はトップレベルに対応し、「ICD-10:C50.1」及び「ICD-10:C50.2」は子レベルに対応してもよい（ここで、「ＴＲ」は腫瘍登録機関（tumor registry）である）。「TR:C50」、「TR:C50.1」、及び「TR:C50.2」は、「包含」されるＩＣＤ−Ｏ部位に対応してもよく、ここで、「TR:C50」はトップの「包含」されるＩＣＤ−Ｏ部位であってもよく、「TR:C50.1」及び「TR:C50.2」は子ノードの「包含」されるＩＣＤ−Ｏ部位であってもよい。参照ＩＣＤ−Ｏ部位は「TR:C50」であり、それは、「関連」するステージ部位７０８、すなわち、「TR:C50|S2」又は「TR:C50|S3」を有してもよく、また、「関連」するＣＳＦ部位７１２、すなわち、「TR:C50|8010/2」又は「TR:C50|8010/3」を有してもよい。
【００７６】
いくつかの実施例では、本要旨のシステムは、上述のクエリに示すように、すべての子レベルノード（例えば、Ｃ５０．１、Ｃ５０．２）と、それらの「包含」されるＩＣＤ−Ｏ（ＴＲ）部位コードとを、ブールＯＲ演算子を用いて連結してもよい。これは、トップレベル部位（すなわち、Ｃ：５０）だけでなく、子ノード（すなわち、Ｃ５０．１、Ｃ５０．２）のデータの展開された検索を可能にする。各選択されたステージ及び形態の用語は、３文字ＩＣＤ−Ｏ（ＴＲ）部位識別子／コードを用いて生成されてもよい。各タイプは、上に示したように、ブールＡＮＤオペレータを用いてともに連結されてもよい。
【００７７】
図８は、本要旨のいくつかの実施例に係る例示的な非部位特異的な腫瘍学的データモデル８００を示す。データモデル８００は、図７に示すデータモデル７００と同様に、ユーザによって入力されてもよい及び／又はシステム（例えば図１及び図３に示すシステム）によって供給されてもよい検索語に基づいて、検索クエリを生成するために使用されてもよい。データモデル８００は、非部位特異的な腫瘍学的データモデルを表してもよい。データモデル８００は、データ（例えば、１人又は複数の特定の患者に対する腫瘍診断に関するデータ）を検索するためのクエリを生成するために、システムによって格納、使用、及び／又は実装されてもよい。
【００７８】
いくつかの実施例では、データモデル８００は、トップレベルノード８０２、従属レベルノード８０４及び８０６を含んでもよく、従属レベルノード８０６もまた従属レベルノード８０８〜８１４を有してもよい。トップレベルノード８０２は、例えば、ＩＣＤ−１０診断に対応するトップ又は子レベル部位を表してもよい。ノード８０４は、ＩＣＤ−Ｏ｜形態部位に対応する部位であってもよい。それは、「包含」関係を介してノード８０２に関連付けられてもよく、例えば、ＩＣＤ−１０診断は、１つ又は複数（例えば、整数ｍについて、０−ｍ）のＩＣＤ−Ｏ｜形態部位を「包含」してもよい。
【００７９】
さらに、ノード８０２は、「参照」関係を介して部位／ノード８０６に関連付けられてもよい。ノード８０６は、例えば、ＩＣＤ−Ｏトップレベル部位に対応するトップレベル部位であってもよい。これは、ＩＣＤ−１０診断が、ＩＣＤ−Ｏトップレベル部位に対して１つ又は複数の参照関係（例えば、整数ｎについて、０−ｎ）を有しうることを意味してもよい。上述したように、トップレベル部位は、その階層的構造（付録Ａに示す）においてＩＣＤ−１０診断８０２が「参照」を有する可能性がある特定のレベルを代表してもよい。
【００８０】
図７に示すモデル７００と同様に、ＩＣＤ−Ｏトップレベル部位８０６はさらに、「関連」関係を介してノード８０８〜８１４に関連付けられてもよい。ＩＣＤ−Ｏトップレベル部位ノード８０６は、ステージノード８０８、グレードノード８１０、ＣＳＦノード８１２、及び１つ又は複数の治療ノード８１４に関連してもよい。
モデル８００が非部位特異的であるので、形態情報（モデル７００では、ＩＣＤ−Ｏトップレベル部位に「関連」するものとして示す）はＩＣＤ−Ｏノード８０４に組み込まれる。
【００８１】
モデル７００と同様に、クエリのための検索語が受信されたとき、本要旨のシステムは、ＩＣＤ−１０診断に対応する識別子／コードを含む可能性があるクエリを生成してもよく、それは、ＩＣＤ−Ｏ｜形態部位に対応する任意の識別子／コードを「包含」してもよく、及び／又は、ＩＣＤ−Ｏトップレベル部位識別子を「参照」してもよく、次いで、それは、ステージ、グレード、ＣＳＦ、及び１つ又は複数の治療に対応する任意の「関連」する識別子／コードを含んでもよい。特定のＩＣＤ−１０診断が選択されたとき、本要旨は、他のＩＣＤ−Ｏ｜形態の情報を包含するクエリを生成してもよい。この方法で、ユーザは、それを自動又は手動で追加する必要はない。したがって、モデル７００と同様に、ユーザは、ＩＣＤ−１０符号化方式のみを知っていればよい。「参照」及び「関連」のノードは、クエリに包含されてもよい選択された１つ又は複数のステージ、１つ又は複数のグレード、１つ又は複数のＣＳＦ、及び１つ又は複数の治療の１つ又は複数の識別子／コード８０８〜８１４の生成に使用されてもよい。これらは、「包含」される部位ノードを用いてマスター用語法構造において予め定義されてもよく、それによって、子ノードを「歩きまわる」ことで、一意の部位識別子／コードを取得してもよく、及び／又は、すべての部位識別子／コードを３文字レベルのＩＣＤ−Ｏ部位コードに切り詰めてもよい。ユーザが選択したステージ、グレード、ＣＳＦ、治療の識別子／コードのそれぞれについて、クエリを生成するとき、クエリ用語は各「参照」部位８０６について生成されてもよい。上述したように、１つ又は複数のＩＣＤ−Ｏトップレベル部位８０６は、「関連」する１つ又は複数のサブレベルノード、すなわち、ステージ８０８、グレード８１０、癌特異因子８１２、及び治療８１４を含んでもよい。
【００８２】
例えば、ユーザが選択したステージ２を有するホジキン病のためのクエリは、以下のように表されてもよい。
【００８３】
ICD-10:C81.0 or ICD-10:C81.00 or ICD-10:C81.01 or ICD-10:C81.02 or ICD-10:C81.03 or ICD-10:C81.04 or ICD-10:C81.05 or ICD-10:C81.06 or ICD-10:C81.07 or ICD-10:C81.0b or ICD-10:C81.09 or TR:C42|9659/3 or TR:C77|9659/3
and TR:C77|S2 or TR:C42|S2
【００８４】
上述のクエリにおいて、「ICD-10:C81.0」は、ＩＣＤ−１０診断又はトップレベル部位として識別され、この場合、Ｃ８１はホジキンリンパ腫のＩＣＤ−１０診断に対応する。
この識別子／コードは、本要旨のシステム（例えば図１、図３に示すようにシステム１００、３００）に入力されてもよい検索語に対応してもよい。本要旨は、所定の処理を実行してもよく、それにより、入力された用語は特定の識別子／コードに変換される。代替として、本要旨のシステムには、特定のＩＣＤ−１０診断／コードが提示されてもよい。トップレベル診断に基づいて、本要旨のシステムは、（例えば、ＩＣＤ−１０階層的データ構造を介して検索することにより）すべての関連する子ノードを識別してもよい。上述のクエリにおいて、子ノードは、「ICD-10:C81.00」、「ICD-10:C81.01」、「ICD-10:C81.02」、「ICD-10:C81.03」「ICD-10:C81.04」、「ICD-10:C81.05」、「ICD-10:C81.06」、「ICD-10:C81.07」、「ICD-10:C81.0b」、及び「ICD-10:C81.09」を含んでもよい。上に示したように、これらのトップノード及び子ノードは、ブールＯＲ演算子によって連結されてもよい。
【００８５】
本要旨のシステムは、「TR:C42|9659/3」及び「TR:C77|9659/3」のＩＣＤ−Ｏ部位|形態の識別子／コードを「包含」するように、入力又は提供された検索語を変換してもよい。これらのコードは再び、ブールＯＲ演算子を用いて連結されてもよい。
【００８６】
このクエリにおいて、特定のＩＣＤ−Ｏ部位は識別されず、代わりに、特定のステージのみ（すなわち「ステージ２」又は「S2」）が関心対象として選択された。したがって、本要旨のシステムは、ＩＣＤ−Ｏ部位|形態に関連しかつＩＣＤ−１０診断に基づいて決定された特定のステージを示す識別子／コードを決定する。上述のクエリに示すように、ステージを示す識別子／コードは、「TR:C77|S2」及び「TR:C42|S2」である。複数の識別子／コードは、ブールＯＲ演算子を介して互いに連結され、ブールＡＮＤ演算子を用いてクエリの残りの部分に連結されてもよい。図９は、上述のクエリに対応する識別子／コードの識別を示す例示的な表９００を示す。
【００８７】
付録Ｂのシナリオ１〜４において、マッピングを含む追加の例示的なクエリを示す。
【００８８】
いくつかの実施例では、本要旨は、ｉ２ｂ２オントロジーの形式を有する腫瘍用語法構造又は腫瘍登録機関（「ＴＲ」）階層に関連してもよい。ＴＲ階層は、マルチレベル階層であってもよく、以下のように構成されてもよい。
【００８９】
【表１】
2019512796.tif 000003
【００９０】
本要旨のシステムは、様々な検索語を含んでもよい検索要求又はクエリを受信したとき、所定の処理を実行してもよく、それにより、検索語を分析してもよく、上述の手順に従って特定の識別子／コードを決定及び／又は識別してもよい。本システムは、決定／識別された識別子／コードの間のマッピングを生成する目的のために、様々な登録機関における識別子／コードの階層の検索を実行し、適切な識別子／コードを抽出してもよい。いったん識別子／コードが決定／識別されると、（例えば、図７及び図８にそれぞれ示すモデル７００及び８００と同様に）マッピングが生成されてもよい。生成されたマッピングは、データ（例えば、様々な癌及び／又は他の任意の医療状態の症例に関するデータ）を含む１つ又は複数のデータベースへのクエリを生成するために使用されてもよい。本要旨のシステムは、入力された検索語に応答するデータの検索及び識別のために、データベースにクエリを入力してもよい。クエリは、ネットワーク、例えば、インターネット、イントラネット、エクストラネット、ＷＡＮ、ＬＡＮ、ＭＡＮ、ＶＬＡＮなどを介して送信されてもよい。いったんクエリに応答するデータが識別されると、それは、１つ又は複数のユーザインターフェースにおいて表示するために送信されてもよい。データは、フォーマット処理されてもよく、及び／又は、１つ又は複数のユーザインターフェースにおいてグラフックに配置されてもよい。
【００９１】
図１０ａ〜図１０ｎは、本要旨のいくつかの実施例に係る、様々なインターフェース１００２〜１０２８を示す。図１０ａは、「Ｃ５０  乳房の悪性新生物」に対応するトップレベル部位を示すインターフェース１００２を示す。このトップレベル部位に係るすべての利用可能な結果を表示するために、以下のクエリが追加されてもよい。
【００９２】
ICD-10:C50 (又は子ノード) or TR:C50
【００９３】
インターフェース１００２は、クエリ及び／又はそれに応答するデータを限定する目的で選択されてもよい又は選択可能であってもよい、すべての利用可能なステージ、グレード、組織構造／挙動、治療、ＣＳＦなどのパラメータを表示してもよい。例えば、一部のパラメータ、例えば進行度分類及びグレードは、インターフェース１００２において展開された形式で表示されてもよく、一方、他のパラメータ、例えば組織構造／挙動、治療、ＣＳＦは、インターフェース１００２において折りたたまれた形式で表示されてもよい。各特定のパラメータは、サブカテゴリを示すために視覚的に展開されてもよく、それらを選択することができる。選択は、自動的に実行されてもよく、及び／又は、例えば、マウス、キーボード、スタイラスペンなどを用いて、特定のパラメータに隣接したアクションボックスをクリックすることで、手動で実行されてもよい。
【００９４】
図１０ｂは、インターフェース１００２に示すようなトップレベル部位を、組織構造／挙動、治療、及びＣＳＦとともに示すインターフェース１００４を示す。このトップレベル部位に係るすべての利用可能な結果を表示するために、インターフェース１００２に示すものと同じクエリが追加されてもよい。ユーザは、このトップレベル部位（すなわちＣ５０）に関連付けられるかもしれないすべてのパラメータをスクロールさせられてもよい。スクロールは、自動的に実行されてもよく、及び／又は、例えば、マウス、キーボード、スタイラスペンなどを用いて手動で実行されてもよい。
【００９５】
図１０ｃは、「Ｃ５０  乳房の悪性新生物」に対応するトップレベル部位を、選択済みの所定の治療及びＣＳＦとともに示すインターフェース１００６を示す。そのような選択のために以下のクエリを使用してもよい。
【００９６】
(ICD-10:C50 (又は子ノード) or TR:C50) and 
(TR:C50|1390 or TR:C50|1360|1 or TC:C50|1360|5) and 
(TR:C50|CSF02|010 or TR:C50|CSF04|0)
【００９７】
このクエリは次のパラメータに対応してもよい。
【００９８】
「Ｃ５０  乳房の悪性新生物」  
ＡＮＤ  
（ブール演算子）１つ又は複数の治療のパラメータ（すなわち、「化学療法（Chemotherapy）」（すなわち「TR:C50|1390」に対応する治療）  ＯＲ  （ブール演算子）「ビーム放射（Beam Radiation）」（すなわち「TR:C50|1360|1」に対応する治療  ＯＲ  「放射線、不特定のＮＯＳ方法又はソース（Radiation, NOS-method or source not specified）」（すなわち「TC:C50|1360|5」に対応する治療））  
ＡＮＤ  
１つ又は複数のＣＳＦパラメータ（すなわち、「プロゲステロン受容体（ＰＲ）分析：陽性／上昇（Progesterone Receptor (PR) Assay: Positive/Elevated）」（すなわち「TR:C50|CSF02|010」に対応するＣＳＦ）  ＯＲ  「通常のヘマトキシリン及びエオシン（Ｈ及びＥ）では陰性の局所リンパ節、免疫組織化学（ＩＨＣ）なし  ＯＲ  ＩＨＣ試験によって遊離腫瘍細胞（ＩＴＣ）に関してテストしても未知（Regional lymph nodes negative on routine hematoxylin and eosin (H and E), no immunohistochemistry (IHC) OR unknown if tested for isolated tumor cells (ITCs) by IHC studies）」（すなわち「TR:C50|CSF04|0」に対応するＣＳＦ））
【００９９】
図１０ｃに示すように、上述の選択に対応して、インターフェース１００６に含まれる適切なグラフィカルチェックボックスがチェックされている。
【０１００】
図１０ｄは、「Ｃ５０．２  乳房上内側４分の１の悪性新生物」に対応する部分部位を示すインターフェース１００８を示す。このトップレベル部位に係るすべての利用可能な結果を表示するために、以下のクエリが追加されてもよい。
【０１０１】
ICD-10:C50.2 (又は子ノード) or TR:C50.2
【０１０２】
インターフェース１００２と同様に、インターフェース１００８は、クエリ及び／又はそれに応答するデータを限定する目的で選択されてもよい又は選択可能であってもよい、すべての利用可能なステージ、グレード、組織構造／挙動、治療、ＣＳＦなどのパラメータを表示してもよい。図１０ｅは、インターフェース１００８に示すような部分部位を、組織構造／挙動、治療、及びＣＳＦとともに示すインターフェース１０１０を示す。この部分部位に係るすべての利用可能な結果を表示するために、インターフェース１００８に示すものと同じクエリが追加されてもよい。ユーザは、この部分部位（すなわちＣ５０．２）に関連付けられるかもしれないすべてのパラメータをスクロールさせられてもよい。スクロールは、自動的に実行されてもよく、及び／又は、例えば、マウス、キーボード、スタイラスペンなどを用いて手動で実行されてもよい。
【０１０３】
図１０ｆは、「Ｃ５０．２  乳房上内側４分の１の悪性新生物」（図１０ｄ〜図１０ｅに示す）に対応する部分部位を、選択済みの所定の治療及びＣＳＦとともに示すインターフェース１０１２を示す。そのような選択のために以下のクエリを使用してもよい。
【０１０４】
(ICD-10:C50.2 (又は子ノード) or TR:C50.2) and 
(TR:C50.2|1390 or TR:C50.2|1360|1 or TC:C50.2|1360|5) and 
(TR:C50.2|CSF02|010 or TR:C50.2|CSF04|0)
【０１０５】
このクエリは、図１０ｃに示すクエリに類似しているが、部分部位（すなわちＣ５０．２）に対して実行される。再び図１０ｃのクエリと同様に、インターフェース１０１２に示すクエリは、以下のパラメータに対応してもよい。
【０１０６】
「Ｃ５０．２  乳房上内側４分の１の悪性新生物」  
ＡＮＤ  
（ブール演算子）１つ又は複数の治療のパラメータ（すなわち、「化学療法（Chemotherapy）」（すなわち「TR:C50.2|1390」に対応する治療）  ＯＲ  （ブール演算子）「ビーム放射（Beam Radiation）」（すなわち「TR:C50.2|1360|1」に対応する治療  ＯＲ  「放射線、不特定のＮＯＳ方法又はソース（Radiation, NOS-method or source not specified）」（すなわち「TC:C50.2|1360|5」に対応する治療））  
ＡＮＤ  
１つ又は複数のＣＳＦパラメータ（すなわち、「プロゲステロン受容体（ＰＲ）分析：陽性／上昇（Progesterone Receptor (PR) Assay: Positive/Elevated）」（すなわち「TR:C50.2|CSF02|010」に対応するＣＳＦ）  ＯＲ  「通常のヘマトキシリン及びエオシン（Ｈ及びＥ）では陰性の局所リンパ節、免疫組織化学（ＩＨＣ）なし  ＯＲ  ＩＨＣ試験によって遊離腫瘍細胞（ＩＴＣ）に関してテストしても未知（Regional lymph nodes negative on routine hematoxylin and eosin (H and E), no immunohistochemistry (IHC) OR unknown if tested for isolated tumor cells (ITCs) by IHC studies）」（すなわち「TR:C50.2|CSF04|0」に対応するＣＳＦ））
【０１０７】
図１０ｆに示すように、上述の選択に対応して、インターフェース１０１２に含まれる適切なグラフィカルチェックボックスがチェックされている。
【０１０８】
図１０ｇは、「Ｃ４４．０１  口唇の皮膚の基底細胞癌」に対応する続発性形態を有する部位が（例えばユーザによって）選択されている状態を示すインターフェース１０１４を示す。このトップレベル部位に係るすべての利用可能な結果を表示するために、以下のクエリが追加されてもよい。
【０１０９】
ICD-10:C44.01 (子ノードなし) or (TR:C44.01 and TR:C44|8090/3)
【０１１０】
インターフェース１０１４は、クエリ及び／又はそれに応答するデータを限定する目的で選択されてもよい又は選択可能であってもよい、すべての利用可能な診断時のステージ／グレード、治療、及びＣＳＦのパラメータのウィンドウを表示してもよい。一部のパラメータは、選択のために利用可能でなくてもよい（例えばＣＳＦ）。さらに、一部のパラメータ、例えば診断時の進行度分類及びグレードは、インターフェース１０１４において展開された形式で表示されてもよく、一方、他のパラメータ、例えば治療は、インターフェース１０１４において折りたたまれた形式で表示されてもよい。各特定のパラメータは、サブカテゴリを示すために視覚的に展開されてもよく、それらを選択することができる。選択は、自動的に実行されてもよく、及び／又は、例えば、マウス、キーボード、スタイラスペンなどを用いて、特定のパラメータに隣接したアクションボックスをクリックすることで、手動で実行されてもよい。
【０１１１】
図１０ｈは、図１０ｇに示す「Ｃ４４．０１  口唇の皮膚の基底細胞癌」に対応する続発性形態を有する部位を、選択済みの所定の治療及びＣＳＦとともに示すインターフェース１０１６を示す。そのような選択のために以下のクエリを使用してもよい。
【０１１２】
ICD-10:C44.01 (子ノードなし) or (TR:C44.01 and TR:C44|8090/3) and 
(TR:C44.0 or TR:C44|1360|1 or TR:C44|1360|5)
【０１１３】
このクエリは次のパラメータに対応してもよい。
【０１１４】
「Ｃ４４．０１  口唇の皮膚の基底細胞癌」（すなわち、ICD-10:C44.01 (子ノードなし) or (TR:C44.01 and TR:C44|8090/3)）  
ＡＮＤ  
（ブール演算子）１つ又は複数の治療のパラメータ（すなわち、「化学療法（Chemotherapy）」（すなわち「TR:C44.0」に対応する治療）  ＯＲ  「ビーム放射（Beam Radiation）」（すなわち「TR:C44|1360|1」に対応する治療  ＯＲ  「放射線、不特定のＮＯＳ方法又はソース（Radiation, NOS-method or source not specified）」（すなわち「TC:C44|1360|5」に対応する治療））   
【０１１５】
図１０ｈに示すように、上述の選択に対応して、インターフェース１０１６に含まれる適切なグラフィカルチェックボックスがチェックされている。
【０１１６】
図１０ｉは、「Ｃ４Ａ．９  メルケル細胞癌、不特定」に対応する形態のみが選択されている状態を示すインターフェース１０１８を示す。このトップレベル部位に係るすべての利用可能な結果を表示するために、以下のクエリが追加されてもよい。
【０１１７】
ICD-10:C4A.9 (子ノードなし) or TR:C44|8247/3 or TR:C49|8247/3 or TR:C07|8247/3 or TR:C63|8247/3 or TR:C80|8247/3 or TR:C51|8247/3 or TR:C30|8247/3
【０１１８】
インターフェース１０１８は、クエリ及び／又はそれに応答するデータを限定する目的で展開／選択／選択可能であってもよい、すべての利用可能な診断時のステージ／グレード、治療、及びＣＳＦのパラメータを表示してもよい。一部のパラメータは、例えば特定のＩＣＤ−１０パラメータに含まれないので、選択のために利用可能でなくてもよい（例えばＣＳＦ）。さらに、一部のパラメータ、例えば診断時の進行度分類及びグレードは、インターフェース１０１８において展開された形式で表示されてもよく、一方、他のパラメータ、例えば治療は、インターフェース１０１８において折りたたまれた形式で表示されてもよい。各特定のパラメータは、サブカテゴリを示すために視覚的に展開されてもよく、それらを選択することができる。選択は、自動的に実行されてもよく、及び／又は、例えば、マウス、キーボード、スタイラスペンなどを用いて、特定のパラメータに隣接したアクションボックスをクリックすることで、手動で実行されてもよい。
【０１１９】
図１０ｊは、図１０ｉに示すインターフェース１０１８に基づくインターフェース１０２０を示し、ここでは所定の治療及びＣＳＦがクエリのために選択されている。そのような選択のために以下のクエリを使用してもよい。
【０１２０】
(ICD-10:C4A.9 (子ノードなし) or TR:C44|8247/3 or TR:C49|8247/3 or TR:C07|8247/3 or TR:C63|8247/3 or TR:C80|8247/3 or TR:C51|8247/3 or TR:C30|8247/3) and 
(TR:C44|S1 or TR:C44|S2 or TR:C49|S1 or TR:C49|S2 or TR:C07|S1 or TR:C07|S2 or TR:C63|S1 or TR:C63|S2 or TR:C80|S1 or TR:C80|S2 or TR:C51|S1 or TR:C51|S2 or TR:C30|S1 or TR:C30|S2) and 
(TR:C44|G1 or TR:C49|G1 or TR:C07|G1 or TR:C63|G1 or TR:C80|G1 or TR:C51|G1 or TR:C30|G1) and 
(TR:C44|1390 or TR:C49|1390 or TR:C07|1390 or TR:C63|1390 or TR:C80|1390 or TR:C51|1390 or TR:C30|1390 or TR:C44|1360|1 or TR:C49|1360|1 or TR:C07|1360|1 or TR:C63|1360|1 or TR:C80|1360|1 or TR:C51|1360|1 or TR:C30|1360|1 or TR:C44|1360|5 or TR:C49|1360|5 or TR:C07|1360|5 or TR:C63|1360|5 or TR:C80|1360|5 or TR:C51|1360|5 or TR:C30|1360|5) and 
TR:C44|CSF03|010
【０１２１】
このクエリは次のパラメータに対応してもよい。
【０１２２】
「Ｃ４Ａ．９  メルケル細胞癌、不特定」（すなわち、「ICD-10:C4A.9 (子ノードなし) OR TR:C44|8247/3 OR TR:C49|8247/3 OR TR:C07|8247/3 OR TR:C63|8247/3 OR TR:C80|8247/3 OR TR:C51|8247/3 OR TR:C30|8247/3」）  
ＡＮＤ  
ステージパラメータ（すなわち「ステージ１（Stage 1）」又は「ステージ２（Stage 2）」（すなわち、「TR:C44|S1 OR TR:C44|S2 OR TR:C49|S1 OR TR:C49|S2 OR TR:C07|S1 OR TR:C07|S2 OR TR:C63|S1 OR TR:C63|S2 OR TR:C80|S1 OR TR:C80|S2 OR TR:C51|S1 OR TR:C51|S2 OR TR:C30|S1 OR TR:C30|S2」に対応するステージ））  
ＡＮＤ  
グレードパラメータ（すなわち「グレード１（Grade 1）」（すなわち、「TR:C44|G1 OR TR:C49|G1 OR TR:C07|G1 OR TR:C63|G1 OR TR:C80|G1 OR TR:C51|G1 OR TR:C30|G1」に対応するグレードパラメータ））  
ＡＮＤ  
１つ又は複数の治療パラメータ（すなわち「化学療法（Chemotherapy）」（すなわち、「TR:C44|1390 OR TR:C49|1390 OR TR:C07|1390 OR TR:C63|1390 OR TR:C80|1390 OR TR:C51|1390 OR TR:C30|1390」に対応する治療）  ＯＲ  「ビーム放射（Beam Radiation）」（すなわち、「TR:C44|1360|1 OR TR:C49|1360|1 OR TR:C07|1360|1 OR TR:C63|1360|1 OR TR:C80|1360|1 OR TR:C51|1360|1 OR TR:C30|1360|1」に対応する治療）  ＯＲ  「放射線、不特定のＮＯＳ方法又はソース（Radiation, NOS-method or source not specified）」（すなわち、「TR:C44|1360|5 OR TR:C49|1360|5 OR TR:C07|1360|5 OR TR:C63|1360|5 OR TR:C80|1360|5 OR TR:C51|1360|5 OR TR:C30|1360|5」に対応する治療））  
ＡＮＤ  
ＣＳＦパラメータ（すなわち、「リンパ節転移の臨床状態：臨床的に潜在的なリンパ節転移のみ（微小転移）（Clinical Status of Lymph Node Mets: Clinically occult lymph node metastases only (micrometastases)）」（「すなわち「TR:C44|CSF03|010」））。
【０１２３】
図１０ｊに示すように、上述の選択に対応して、インターフェース１０２０に含まれる適切なグラフィカルチェックボックスがチェックされている。
【０１２４】
図１０ｋは、「Ｃ８１．０７  結節性リンパ球優位型ホジキンリンパ腫、脾臓内」に基づく形態が選択されている状態を示すインターフェース１０２２を示す。このトップレベル部位に係るすべての利用可能な結果を表示するために、以下のクエリが追加されてもよい。
【０１２５】
ICD-10:C81.07 (子ノードなし) or (TR:C42.2 and TR:C42|9659/3)
【０１２６】
上述した他のインターフェースと同様に、インターフェース１０２２は、クエリ及び／又はそれに応答するデータを限定する目的で展開／選択／選択可能であってもよい、すべての利用可能な診断時のステージ／グレード、治療、及びＣＳＦのパラメータを表示してもよい。一部のパラメータ、例えば診断時の進行度分類及びグレードは、インターフェース１０２２において展開された形式で表示されてもよく、一方、他のパラメータ、例えば治療、ＣＳＦは、インターフェース１０２２において折りたたまれた形式で表示されてもよい。各特定のパラメータは、サブカテゴリを示すために視覚的に展開されてもよく、それらを選択することができる。選択は、自動的に実行されてもよく、及び／又は、例えば、マウス、キーボード、スタイラスペンなどを用いて、特定のパラメータに隣接したアクションボックスをクリックすることで、手動で実行されてもよい。
【０１２７】
図１０ｌは、図１０ｋに示すインターフェース１０２２に基づくインターフェース１０２４を示し、ここでは所定の治療及びＣＳＦがクエリのために選択されている。そのような選択のために以下のクエリを使用してもよい。
【０１２８】
ICD-10:C81.07 (including TR:C42|9659/3) and (TR:C42|1390 or TR:C42|1360|1 or TR:C42|1360|5 and TR:C42|CSF02|010)
【０１２９】
このクエリは次のパラメータに対応してもよい。
【０１３０】
「Ｃ８１．０７  結節性リンパ球優位型ホジキンリンパ腫、脾臓内」（すなわち、ＩＣＤ−１０：Ｃ８１．０７（ＴＲ：Ｃ４２｜９６５９／３を含む））  
ＡＮＤ  
１つ又は複数の治療のパラメータ（すなわち、「化学療法（Chemotherapy）」（すなわち「TR:C42|1390」に対応する治療）  ＯＲ  「ビーム放射（Beam Radiation）」（すなわち「TR:C42|1360|1」に対応する治療  ＯＲ  「放射線、不特定のＮＯＳ方法又はソース（Radiation, NOS-method or source not specified）」（すなわち「TC:C42|1360|5」に対応する治療））  
ＡＮＤ  
ＣＳＦパラメータ（すなわち「Durie SalmonステージＩＡ」（すなわち「TR:C42|CSF02|010」に対応するＣＳＦ））
【０１３１】
図１０ｌに示すように、上述の選択に対応して、インターフェース１０２４に含まれる適切なグラフィカルチェックボックスがチェックされている。
【０１３２】
図１０ｍ〜図１０ｎは、上に議論したクエリを用いて検索されているデータでは含まれなければならない情報（例えば、血液サンプル、結腸サンプルなど）をユーザがさらに指定できるようにするインターフェース１０２６及び１０２８を示す。
【０１３３】
いくつかの実施例では、図１１に示すように、本要旨はシステム１１００として実装されるように構成されてもよい。システム１１００は、プロセッサ１１１０、メモリ１１２０、記憶装置１１３０、及び入出力装置１１４０を含んでもよい。構成要素１１１０、１１２０、１１３０、及び１１４０のそれぞれは、システムバス１１５０を用いて相互接続されてもよい。プロセッサ１１１０は、システム１１００内で実行する命令を処理するように構成されてもよい。いくつかの実施例では、プロセッサ１１１０はシングルスレッドのプロセッサであってもよい。代替の実施例では、プロセッサ１１１０はマルチスレッドのプロセッサであってもよい。プロセッサ１１１０は、入出力装置１１４０を通じて情報を受信又は送信することを含む、メモリ１１２０又は記憶装置１１３０に格納された命令を処理するようにさらに構成されてもよい。メモリ１１２０は、システム１１００内の情報を格納してもよい。いくつかの実施例では、メモリ１１２０はコンピュータ可読媒体であってもよい。代替の実施例では、メモリ１１２０は揮発性メモリ装置であってもよい。さらにいくつかの実施例では、メモリ１１２０は不揮発性メモリ装置であってもよい。記憶装置１１３０は、システム１１００のマスストレージとして機能する能力を有してもよい。いくつかの実施例では、記憶装置１１３０はコンピュータ可読媒体であってもよい。代替の実施例では、記憶装置１１３０は、フロッピーディスク装置、ハードディスク装置、光ディスク装置、テープ装置、不揮発性ソリッドステートメモリ、又は他の任意のタイプの記憶装置であってもよい。入出力装置１１４０は、システム１１００のための入力／出力動作を提供するように構成されてもよい。いくつかの実施例では、入出力装置１１４０は、キーボード及び／又はポインティングデバイスを含んでもよい。代替の実施例では、入出力装置１１４０は、グラフィカルユーザインターフェースを表示するためのディスプレイ装置を含んでもよい。
【０１３４】
図１２は、本要旨のいくつかの実施例に係る、データを問い合わせる例示的な処理１２００を示す。１２０２において、データベースへのクエリが受信されてもよい。クエリは、１つ又は複数のパラメータ（例えば検索語）を含んでもよい。データベースのデータは、マスター用語法データモデルを用いて構成されてもよく、マスター用語法データモデルは、１つ又は複数の用語法構造のマッピングを含んでもよい。１２０４において、クエリに応答するデータを、クエリの少なくとも１つのパラメータに基づいて取得してもよい。データは、マッピングに従ってデータベースを横断的に検索することで取得されてもよい。パラメータは、複数の用語法構造のうちの第１の用語法構造の要素であってもよい。横断的に検索することは、以下のステップのうちの少なくとも１つを含んでもよい。パラメータに基づいて、複数の用語法構造のうちの第２の用語法構造に含まれる少なくとも１つの部位要素を決定してもよい。少なくとも１つの部位要素は、クエリに応答するデータに包含されるデータベースのデータを識別してもよい。さらに、パラメータに基づいて、第２の用語法構造に含まれる少なくとも１つの参照要素を決定してもよい。参照要素は、クエリに応答するデータに関連するデータベースのデータを識別してもよい。１２０６において、クエリに応答するデータを、決定された部位要素及び決定された参照要素のうちの少なくとも１つに従って提供してもよい。
【０１３５】
いくつかの実施例では、構造化されたマスター用語法データモデルは、２つ以上の用語法構造及び／又は符号化体系、例えばＩＣＤ−１０及びＩＣＤ−Ｏにおける用語のマッピングを用いてもよい。構造化されたデータモデルは、新たな用語法構造（例えば癌用語法）であってもよく、ここで、用語法は、複数のレベル（レベル０：「腫瘍登録機関」（例えばトップレベル）、レベル１：腫瘍部位（又は癌の他の任意の態様）、など）を含んでもよい。データは、様々な態様の腫瘍学的データ（例えば、腫瘍部位、形態（組織構造及び挙動）、腫瘍グレード、腫瘍ステージ、癌特異因子、治療、再発、多発性原発性診断、など）を用いてマッピング及び構造化されてもよい。さらに、ユーザによるクエリの構築／実行を支援するために、癌の特定の態様（例えば、診断など）を用いて複数の既存の用語法構造の間で特定のデータをマッピングして、マスター用語法における追加の腫瘍学的データを提供することができる。いくつかの実施例では、使いやすさのため、また、マスター用語法データモデルを生成する目的でよりくだけた用語でユーザが検索できるようにするために、腫瘍学用語法における同義語が使用されてもよい。いくつかの実施例では、問い合わせの目的でマスター用語法に従って適切にデータをロードできるようにするために、腫瘍学的データ（例えば、腫瘍の形態、部位対形態、腫瘍学的修飾子など）を表すためのプロバイダマップが生成されてもよい。いくつかの実施例では、クエリは、自由形式／テキストで生成され、次いで、マスター用語法に基づいて適切なパラメータに翻訳されてもよい。ここで、結果として生じるデータは、ユーザインターフェースを介して提示されてもよく、及び／又は、他の任意の方法で提示されてもよい。クエリは、マスター用語法の特定のコードを用いて構築されてもよい。
【０１３６】
いくつかの実施例では、本要旨は、次のオプションの特徴のうちの１つ又は複数を含んでもよい。第１の用語法構造は、国際疾病分類（ＩＣＤ−１０）からの用語を含んでもよく、第２の用語法構造は、国際疾病分類−腫瘍学（ＩＣＤ−Ｏ）からの用語を含んでもよい。少なくとも１つの部位要素は、患者の身体における腫瘍の部位、腫瘍のタイプ、バイオマーカー、変異、ゲノムのバイオマーカー、ゲノムのバイオマーカーの変異、及びそれらの任意の組み合わせのうちの少なくとも１つを識別してもよい。少なくとも１つの参照要素は、少なくとも１つの部位要素に基づいて決定されてもよい。少なくとも１つの参照要素は、腫瘍ステージ、腫瘍グレード、少なくとも１つの癌特異因子、少なくとも１つの治療、腫瘍再発、少なくとも１つの多発性原発性診断、形態、及びそれらの任意の組み合わせのうちの少なくとも１つを含んでもよい。形態は第２の用語法構造に基づいて決定されてもよい。
【０１３７】
いくつかの実施例では、データは、クエリに応答するデータを形態に基づいて選択することにより取得されてもよい。
【０１３８】
いくつかの実施例では、少なくとも１つの参照要素は、腫瘍ステージ、腫瘍グレード、少なくとも１つの癌特異因子、少なくとも１つの治療、腫瘍再発、少なくとも１つの多発性原発性診断、及びそれらの任意の組み合わせのうちの少なくとも１つを含んでもよい。少なくとも１つの部位要素は、第１の用語法構造を用いて少なくとも１つのパラメータに基づいて決定された形態を含んでもよい。この形態に対応するデータベースのデータは、クエリに応答するデータに含まれてもよい。
【０１３９】
先の説明は、本発明の原理の例証のみとして考慮される。さらに、多数の修正及び変更が当業者には容易に行われるので、図示及び説明した構成及び動作に本発明を厳密に限定するようには記述されず、従って、すべての適切な修正及び等価物は本発明の範囲以内にあるとされてもよい。
【０１４０】
添付の図面を参照して本対象の例示の実施形態について説明したが、本要旨が説明した実施形態に限定されないこと、及び、添付の特許請求の範囲によって定義されるような本要旨の範囲又は精神から外れずに、当業者によってそこに様々な変更及び修正が実施されてもよいことが認識される。本要旨の別の修正が当業者によって想到されてもよく、そのようなものはすべて、添付の特許請求の範囲によって定義される本発明の精神及び範囲以内にあると考えられる。
【０１４１】
本明細書では特定の実施形態について詳しく開示したが、これは、例示として、説明のみを目的として行われ、限定することを意図していない。特に、開示した実施形態の精神及び範囲から外れずに、様々な代用、変更、及び修正が行われてもよいことが発明者によって意図される。他の態様、利点、及び修正は、開示して請求項に記載した実施形態及び本明細書に開示した他の発明の範囲内であると考えられる。以下に提示する特許請求の範囲は、単に、本明細書に開示された本発明の実施形態のうちのいくつかの代表である。他に、現時点で特許請求の範囲に記載していない実施形態及び発明も意図される。本発明者は、そのような実施形態及び発明を、後の請求項及び／又は共通の優先権を主張する後の出願において追求する権限を留保する。
【０１４２】
本明細書で使用されるように、用語「ユーザ」は、人又はコンピュータ又は他の任意の装置を含む任意のエンティティを参照する可能性がある。
【０１４３】
第１、第２、などのような序数は、ある場合には順序に関連する可能性があるが、本明細書で使用されるように、序数は必ずしも順序を意味しない。例えば、序数は、ある項目と他のものを区別するために単に使用される可能性がある。例えば、第１のイベントと第２のイベントとを区別することを目的とするが、いかなる年代的順序又は固定基準系を意味することも必要としない（本明細書の１つの段落における第１のイベントが、本明細書のもう１つの段落における第１のイベントとは異なる可能性がある）。
【０１４４】
ユーザとの対話を行うために、本明細書で説明した要旨は、ユーザへ情報を表示するためのディスプレイ装置、例えば陰極線管（ＣＲＴ）又は液晶ディスプレイ（ＬＣＤ）モニタなどを有し、また、ユーザがコンピュータへ入力するために使用してもよいキーボードとマウス又はトラックボールのようなポインティングデバイスとを有するコンピュータ上で実行可能である。同様にユーザとの対話を行うために、他の種類の装置も使用可能である。例えば、ユーザに提供されるフィードバックは、例えば、視覚フィードバック、聴覚フィードバック、又は触覚フィードバックのような、任意の形式の知覚フィードバックであってもよい。ユーザからの入力は、音声、スピーチ、又は触覚の入力を含むが、これらに限定されない任意の形式で受信されてもよい。
【０１４５】
以上の説明で示した実施例は、本明細書で説明した対処に該当するすべての実施例を表すわけではない。代わりに、それらは、説明した対処に関連する態様に該当するいくつかの例示にすぎない。少数の変形例について詳細に上述したが、他の変更又は追加も可能である。特に、ここに説明されたものに加えて、別の特徴及び／又は変形例も提供することができる。例えば、上述した実施例は、開示された特徴の様々な組み合わせ及び部分的な組み合わせに関してもよく、上に開示されたいくつかの別の特徴の組み合わせ及び部分的な組み合わせに関してもよい。さらに、添付の図面に示され、及び／又はここで説明した、複数の論理フローは、望ましい結果を達成するために、図示した特定の順序又は逐次的順序を必ずしも必要としない。他の実施例が、添付の請求項の範囲内にあってもよい。
【０１４６】
［付録Ａ］
［腫瘍登録機関］
［オントロジー］
本要旨によって使用されるオントロジーは、北米癌中央登録所協会（North American Association of Central Cancer Registries (NAACCR, http://www.naaccr.org/)）に基づく。
【０１４７】
以下のものは、上述のオントロジーに基づく腫瘍登録機関データの部分集合の解析である。
【０１４８】
［原発性癌診断、組織構造、及び進行度分類］
癌の種類（血液の悪性腫瘍を例外とする、典型的には解剖学的な場所）、組織のタイプ（組織構造）、及びステージは、腫瘍学的データの大黒柱である。ＩＣＤ−Ｏは、癌の種類（トポグラフィーコードとしても知られ、部位を指定する）と、組織の種類（挙動コードとしても知られ、組織構造及び腫瘍の悪性度を指定する）とを符号化するために使用される標準的な語いである。
【０１４９】
下記は、（主として身体部位によって組織化された）癌の種類のトップレベルリストである。
【０１５０】
・  血液、骨髄、造血系、及び細網内皮系  Ｃ４２
・  四肢の骨、関節、及び関節軟骨  Ｃ４０〜Ｃ４１
・  脳及びその他の中枢神経系の部分  Ｃ７０〜Ｃ７２
・  乳房  Ｃ５０
・  結合組織、皮下組織、及びその他の軟部組織  Ｃ４９
・  消化器  Ｃ１５〜Ｃ２６
・  内分泌腺及び関連組織構造  Ｃ７３〜Ｃ７５
・  目及び付属器  Ｃ６９
・  女性生殖器  Ｃ５１〜Ｃ５８
・  口唇、口腔、及び咽頭  Ｃ００〜Ｃ１４
・  リンパ節  Ｃ７７
・  男性性器  Ｃ６０〜Ｃ６３
・  他の部位及び不明確な部位  Ｃ７６
・  末梢神経及び自律神経系  Ｃ４７
・  呼吸器及び胸腔内臓器  Ｃ３０〜Ｃ３９
・  後腹膜及び腹膜  Ｃ４８
・  皮膚  Ｃ４４
・  泌尿器  Ｃ６４〜Ｃ６８
【０１５１】
これらのコード（文字Ｃと、それに続く２又は３桁の数字）が悪性新生物のみを表すことに注意する。このオントロジーでは、良性、生体内原位置、又は不明／未知の新生物（文字Ｄから始まるＩＣＤ−Ｏコード）は含まれない。
【０１５２】
癌の種類ごとに、腫瘍登録機関は、組織構造及び腫瘍ステージを取り込む。このオントロジーは、まずｉ２ｂ２のために設計され、次いで、事実ごとに複数の修飾子をサポートできるようにされ、さらに、組織構造及び進行度分類を各種類の癌の子ノードとしてモデリングした。言いかえれば、身体部位のＩＣＤ−Ｏに基づく階層（上記を参照）は、最終ノードの前の最後の親ノードのレベルにおいて「中断」された。このレベルにおいて、サブツリーごとに２つの追加の子ノード、すなわち組織構造及びステージが挿入され。ここに、これが結腸及び膵臓癌を探す方法の一例を示す（組織構造及びステージの追加分を赤で示す）。
【０１５３】
【表２】
2019512796.tif 000004
【０１５４】
ｉ２ｂ２ウェブクライアントでは、組織構造及び進行度分類の「フォルダ」をＩＣＤ−Ｏ階層のサブツリーごとの子ノードとして挿入するアプローチはうまく機能し、この場合、オントロジーと相互作用する主要なモードは、入れ子のフォルダからなる集合をブラウジングすることによって行われる。
【０１５５】
［追加データ］
癌の種類のＩＣＤ−Ｏ階層における最後の親ノード（最終ノードの親）は、多数のｉ２ｂ２修飾子に関連付けられる。
【０１５６】
・  診断時の年齢−年数に基づく
・  診断日−［ポップアップなし］
・  原発腫瘍シーケンス−［ポップアップなし］
・  生存時間（診察日からの月数）−月数に基づく
・  病気なしの生存時間（診察日からの月数）−月数に基づく
・  施設における最初の接触の年−４桁年に基づく
【０１５７】
これらのうちのいくつか、例えば生存時間に加えて診断の年齢及び日付は、腫瘍学関連のコホートの識別にとって非常に重要になると思われる。
【０１５８】
［組織構造］
各組織構造フォルダは、与えられた種類の癌にとって可能な組織構造のリストを含む。
これらもまた、組織構造及び腫瘍の挙動についてＩＣＤ−Ｏの語彙に符号化される。
【０１５９】
［進行度分類］
各ステージフォルダは、与えられた種類の癌にとって特有のステージのリストを含む。腫瘍のステージは３つのパラメータ、すなわち、腫瘍サイズ（Ｔ）、関与したリンパ節の個数（Ｎ）、及び転移の有無（Ｍ）を用いて決定される。本体系は、しばしば、ＴＮＭステージと呼ばれる。ジャック（Jack）のオントロジーは、臨床的（典型的には、画像化の試験に基づく）と、病理学的（組織検査に基づく）との両方に基づく、ＴＮＭに係る未処理の値を取り込む。Ｔ、Ｎ、及びＭは、特定の種類の癌ごとにＴ、Ｎ、及びＭの可能な値に係る列挙された修飾子を有する個々の概念として表される。
【０１６０】
ステージは３つの概念、すなわち、最良、臨床的、及び病理学的として表される。それぞれは、この癌のステージ（例えば、ステージ１、ステージ１Ａ、ステージ２など）に対する可能な値を有する列挙された修飾子に関連付けられる。
【０１６１】
オントロジーは、ステージフォルダにおいて２つの追加の概念、すなわちグレード及び挙動を含む。それぞれは、列挙された修飾子に関連付けられた概念である。グレードは、良好に分化、不十分に分化、未分化、などの値を有する。挙動は、良性、悪性、生体内原位置、などの値を有する。挙動は、通常、４桁のＩＣＤ−Ｏ組織構造コードに１桁追加し、それを「／」で分離したものとして表されることに注意する。
【０１６２】
［ＣＳ部位特異因子］
コラボレイティブステージ（Collaborative Stage：ＣＳ）特異因子は、癌特異データ要素の集合である。オントロジーはこれらを以下の部位のみに限定する
【０１６３】
・  乳房  
・  結腸
・  結腸−ＧＩＳＴ
・  結腸−ＮＥＴ
・  肺
・  胸膜
・  膵臓
・  前立腺
【０１６４】
データは、与えられた癌に対して高度に特異的であり、コホートの識別のために極めて大きな価値がある。例えば、乳癌に特異的な因子はＥＲ／ＰＲ／ＨＥＲ２ｎｅｕ状態を含み、前立腺癌に特異的な因子はグリーソンスコアを含む。
【０１６５】
［治療］
オントロジーでは、以下のトップレベル治療法が利用可能である。
【０１６６】
・  化学療法
・  診断（例えば生検）
・  内分泌腺治療
・  ホルモン療法
・  免疫療法
・  他の治療
・  緩和
・  放射線
・  手術
・  移植手術
【０１６７】
これらのうちのいくつかは子ノードを有する。例えば、化学療法の下には、「化学療法、複数の薬剤（組み合わせ治療計画）」及び「化学療法、単一の薬剤」が発見される。
【０１６８】
［再発］
再発は、腫瘍の、局所での、領域性の、又は離れた部位での最初の再発を記述する。月数を値とする修飾子「初診から最初の再発までの月数」がある。この情報は、コホートの識別には大きな価値がないかもしれない。
【０１６９】
［多発性原発性診断］
次の事実が多発性原発性に関して利用可能である。
【０１７０】
・  多発性悪性原発性
・  多発性非悪性原発性
・  単一の悪性原発性（多発性ではない）
・  単一の非悪性原発性（多発性ではない）
【０１７１】
［付録Ｂ］
シナリオ１：ＩＣＤ−Ｏ部位のみにマッピングされたＩＣＤ−１０診断
ユーザは、ＩＣＤ−１０：Ｄ４８「その他及び部位不明の性状不詳又は不明の新生物」を選択する。
【０１７２】
ＩＣＤ−１０：Ｄ４８に係るマッピング
列「包含〜」は、ＩＣＤ−１０からＩＣＤ−Ｏへのマッピングである。列「参照〜」は、（１）部位に対する「包含」のマッピングをとり、（２）ＩＣＤ−１０コードの子ノードを横断的に検索して、部位に対するそれらの「包含」のマッピングをとり、（３）有効数字を除去して、トップレベルＩＣＤ−Ｏ部位コードを取得し、（４）＃３の明確な上位集合をとることで、予め生成される。
【０１７３】
【表３】
2019512796.tif 000005
【０１７４】
部位対形態
これらの形態は、腫瘍学ポップアップとしてユーザに提示され、選択のために利用可能になる。「参照部位」ごとにすべての形態からなる一意の集合によって記入され、マスター用語法からの形態対部位の関係から導出され、プロバイダデータによって拡充される。クエリを生成するとき、われわれは、適用可能ではない組み合わせを生成してもよいが、その結果は操作不能になるべきである。
【０１７５】
【表４】
2019512796.tif 000006
【０１７６】
例示−ユーザは以下のものを選択する。
ＩＣＤ−１０：Ｄ４８
ステージ１
形態９３３０／３
【０１７７】
原発部位に係る腫瘍登録機関データはＩＣＤ−Ｏ部位コード（例えばＴＲ：Ｃ４８．２）として表されることに注意する。
【０１７８】
クエリ：
ICD-10:D48 OR ICD-10:D48.0 OR ICD-10:D48.1 OR ICD-10:D48.2 OR ICD-10:D48.3 OR ICD-10:D48.4 OR ICD-10:D48.5 OR ICD-10:D48.6 OR ICD-10:D48.60 OR ICD-10:D48.61 OR ICD-10:D48.62 OR ICD-10:D48.7 OR ICD-10:D48.9 OR TR:C76 OR TR:C41 OR TR:C49 OR TR:C47 OR TR:C48.0 OR TR:C48.2 OR TR:C44 OR TR:C50 
AND 
TR:C41|S1 OR TR:C49|S1 OR TR:C47|S1 OR TR:C48|S1 OR TR:C44|S1 OR TR:C50|S1 OR TR:C76|S1 
AND 
TR:C41|9330/3 OR TR:C49|9330/3 OR TR:C47|9330/3 OR TR:C48|9330/3 OR TR:C44|9330/3 OR TR:C50|9330/3 OR TR:C76|9330/3
【０１７９】
シナリオ２：まず部位にマッピングされ、次いで形態にマッピングされるＩＣＤ−１０診断
ユーザはＩＣＤ−１０：Ｃ４４．３１「その他および部位不明の顔面の皮膚基底細胞癌」を選択する。
【０１８０】
ＩＣＤ−１０：Ｃ４４．３１に係るマッピング
【０１８１】
【表５】
2019512796.tif 000007
【０１８２】
部位対形態
ＩＣＤ−１０からＩＣＤ−Ｏへのマッピングで形態が予め定義されているので、ユーザは、このシナリオにおいて形態を選択することができない。形態のリストは、（１）形態に対する「包含」のマッピングをとり、（２）ＩＣＤ−１０コードの子ノードを横断的に検索して、それらの「包含」形態のマッピングをとり、（３）＃＃１〜２の明確な上位集合をとることで、予め生成される。ここで、ＩＣＤ−１０：４４．３１のすべての子ノードは同じ形態ＩＣＤ−Ｏ：８０９０／３にマッピングされる。
【０１８３】
例示−ユーザは以下のものを選択する。
ＩＣＤ−１０：Ｃ４４．３１
ステージ２
【０１８４】
腫瘍登録機関データは、原発部位をＴＲ：Ｃ４４．３として表し、形態をＴＲ：Ｃ４４｜８０９０／３として表す。ＩＣＤ−Ｏ形態コードに先行するＩＣＤ−Ｏ部位はトップレベル部位である（すなわち、有効数字は除去される）ことに注意する。
【０１８５】
クエリは以下のものを含む：
ICD-10:C44.31 OR ICD-10:C44.310 OR ICD-10:C44.311 OR ICD-10:C44.319 OR (TR:C44.3 AND TR:C44|8090/3) 
AND 
TR:C44|S2
【０１８６】
これはクエリロジックを拡張する。それは患者を発見することに便宜をはかるが、ここで、部位及び形態は、ＩＣＤ−１０用語によって定義されるが、一方又は両方の領域に存在してもよい。形態はマッピングにおいて予め定義されているので、このシナリオでは、腫瘍学ポップアップには組織構造リストが表示されないということに注意する。
【０１８７】
シナリオ３：形態のみにマッピングされるＩＣＤ−１０診断
ユーザはＩＣＤ−１０：Ｃ８１「ホジキンリンパ腫」を選択する。
【０１８８】
ＩＣＤ−１０：Ｃ８１に係るマッピング
ＩＣＤ−１０：Ｃ８１は、形態（ＩＣＤ−Ｏ：９６５０／３）にマッピングされ、ＩＣＤ−Ｏ部位のマッピングをもたない。列（「包含するＩＣＤ−Ｏ形態」）は、（１）マッピングされた形態コードをとり、（２）そのＩＣＤ−１０コードの子ノードを横断的に検索して、子ノードが存在すれば当該子ノードについて形態コードを追加し、（３）＃＃１〜２の明確な上位集合をとることで、予め生成される。
【０１８９】
参照されるＩＣＤ−Ｏ部位は、（１）ＩＣＤ−１０コードの子ノードを横断的に検索して（Ｃ７７．＊及びＣ４２．２を取得する）、適用可能であれば、有効数字を除去することによりトップレベルＩＣＤ−Ｏ部位を導出し（Ｃ７７，Ｃ４２を取得する）、（２）形態から部位の関係を用いて「包含」される形態から部位のリストを導出し（Ｃ７７、Ｃ４２、Ｃ３７、Ｃ１６）、（３）プロバイダデータをもちいてそれを拡充し（Ｃ７７、Ｃ８０、Ｃ０７、Ｃ３４、Ｃ４２、Ｃ４１、Ｃ３８、Ｃ１６）、（４）上述した部位の明確な上位集合をとることで、予め生成される。
【０１９０】
【表６】
2019512796.tif 000008
【０１９１】
【表７】
2019512796.tif 000009
【０１９２】
【表８】
2019512796.tif 000010
【０１９３】
【表９】
2019512796.tif 000011
【０１９４】
【表１０】
2019512796.tif 000012
【０１９５】
【表１１】
2019512796.tif 000013
【０１９６】
【表１２】
2019512796.tif 000014
【０１９７】
部位対形態
関心対象のＩＣＤ−１０用語が、形態への明示的なマッピングを有する子ノードを有するので、このシナリオでは、ユーザは形態を選択することができない。「参照」されるＩＣＤ−Ｏ部位のリストを有するこれらのＩＣＤ−Ｏ形態の全順列は、「包含」される形態の全リストを表す。このリストは、予め生成されてマスター用語法に格納されるべきである。
【０１９８】
例示−ユーザは以下のものを選択する。
ＩＣＤ−１０：Ｃ８１
ステージ３
【０１９９】
クエリ：
ICD-10:C81 OR ICD-10:C81.0 OR ICD-10:C81.00 OR ICD-10:C81.01 OR ICD-10:C81.02 OR ICD-10:C81.03 OR ICD-10:C81.04 OR ICD-10:C81.05 OR ICD-10:C81.06 OR ICD-10:C81.07 OR ICD-10:C81.08 OR ICD-10:C81.09 OR ICD-10:C81.1 OR ICD-10:C81.10 OR ICD-10:C81.11 OR ICD-10:C81.12 OR ICD-10:C81.13 OR ICD-10:C81.14 OR ICD-10:C81.15 OR ICD-10:C81.16 OR ICD-10:C81.17 OR ICD-10:C81.18 OR ICD-10:C81.19 OR ICD-10:C81.2 OR ICD-10:C81.20 OR ICD-10:C81.21 OR ICD-10:C81.22 OR ICD-10:C81.23 OR ICD-10:C81.24 OR ICD-10:C81.25 OR ICD-10:C81.26 OR ICD-10:C81.27 OR ICD-10:C81.28 OR ICD-10:C81.29 OR ICD-10:C81.3 OR ICD-10:C81.30 OR ICD-10:C81.31 OR ICD-10:C81.32 OR ICD-10:C81.33 OR ICD-10: C81.34 OR ICD-10:C81.35 OR ICD-10:C81.36 OR ICD-10:C81.37 OR ICD-10:C81.38 OR ICD-10:C81.39 OR ICD-10: C81.4 OR ICD-10:C81.40 OR ICD-10:C81.41 OR ICD-10:C81.42 OR ICD-10:C81.43 OR ICD-10:C81.44 OR ICD-10:C81.45 OR ICD-10:C81.46 OR ICD-10:C81.47 OR ICD-10:C81.48 OR ICD-10:C81.49 OR ICD-10:C81.7 OR ICD-10:C81.70 OR ICD-10:C81.71 OR ICD-10:C81.72 OR ICD-10:C81.73 OR ICD-10:C81.74 OR ICD-10:C81.75 OR ICD-10:C81.76 OR ICD-10:C81.77 OR ICD-10:C81.78 OR ICD-10:C81.79 OR ICD-10:C81.9 OR ICD-10:C81.90 OR ICD-10:C81.91 OR ICD-10:C81.92 OR ICD-10:C81.93 OR ICD-10:C81.94 OR ICD-10:C81.95 OR ICD-10:C81.96 OR ICD-10:C81.97 OR ICD-10:C81.98 OR ICD-10:C81.99 
OR TR:C77|9650/3 OR TR:C42|9650/3 OR TR:C37|9650/3 OR TR:C16|9650/3 OR TR:C80|9650/3 OR TR:C07|9650/3 OR TR:C34|9650/3 OR TR:C41|9650/3 OR TR:C38|9650/3 
OR TR:C77|9659/3 OR TR:C42|9659/3 OR TR:C37|9659/3 OR TR:C16|9659/3 OR TR:C80|9659/3 OR TR:C07|9659/3 OR TR:C34|9659/3 OR TR:C41|9659/3 OR TR:C38|9659/3 
OR TR:C77|9663/3 OR TR:C42|9663/3 OR TR:C37|9663/3 OR TR:C16|9663/3 OR TR:C80|9663/3 OR TR:C07|9663/3 OR TR:C34|9663/3 OR TR:C41|9663/3 OR TR:C38|9663/3 
OR TR:C77|9652/3 OR TR:C42|9652/3 OR TR:C37|9652/3 OR TR:C16|9652/3 OR TR:C80|9652/3 OR TR:C07|9652/3 OR TR:C34|9652/3 OR TR:C41|9652/3 OR TR:C38|9652/3 
OR TR:C77|9653/3 OR TR:C42|9653/3 OR TR:C37|9653/3 OR TR:C16|9653/3 OR TR:C80|9653/3 OR TR:C07|9653/3 OR TR:C34|9653/3 OR TR:C41|9653/3 OR TR:C38|9653/3 
OR TR:C77|9651/3 OR TR:C42|9651/3 OR TR:C37|9651/3 OR TR:C16|9651/3 OR TR:C80|9651/3 OR TR:C07|9651/3 OR TR:C34|9651/3 OR TR:C41|9651/3 OR TR:C38|9651/3 
AND 
TR:C77|S3 OR TR:C42|S3 OR TR:C37|S3 OR TR:C16|S3 OR TR:C80|S3 OR TR:C07/S3 OR TR:C34|S3 OR TR:C41|S3 OR TR:C38|S3
【０２００】
シナリオ４：まず形態にマッピングされ、次いで部位にマッピングされるＩＣＤ−１０診断
ユーザはＩＣＤ−１０：Ｃ８２．５２「びまん性濾胞中心リンパ腫、胸腔内リンパ節」を選択する。
【０２０１】
ＩＣＤ−１０：Ｃ８２．５２に係るマッピング
ＩＣＤ−１０からＩＣＤ−Ｏへマッピングに基づいて、「包含」されるＩＣＤ−Ｏ形態はＩＣＤ−Ｏ：９６９０／３であり、ＩＣＤ−１０：Ｃ８２．５２は子ノードをもたず、従って、これは唯一の「包含」される形態である。ＩＣＤ−１０：Ｃ８２．５２はＩＣＤ−Ｏ部位Ｃ７７．１にもマッピングされ、子ノードが存在しないので、これが唯一の部位である。従って、参照される部位はＣ７７（有効数字を除去する）である。
【０２０２】
【表１３】
2019512796.tif 000015
【０２０３】
部位対形態
ＩＣＤ−１０：Ｃ８２．５２がＩＣＤ−Ｏ形態への明示的なマッピングを有するので、このシナリオでは、ユーザは形態を選択することができない。
【０２０４】
例示−ユーザは以下のものを選択する。
ＩＣＤ−１０：Ｃ８２．５２
ステージ４
【０２０５】
腫瘍登録データは、形態をＴＲ：Ｃ７７｜９６９０／３として表し、部位をＴＲ：Ｃ７７．１としての表す。ＩＣＤ−Ｏ形態コードに先行するＩＣＤ−Ｏ部位はトップレベル部位である（すなわち、有効数字は除去される）ことに注意する。
【０２０６】
クエリは以下のものを含む。
【０２０７】
ICD-10:C82.52 OR (TR:C77|9690/3 AND TR:C77.1)  
AND 
TR:C77|S4
【０２０８】
これはクエリロジックを拡張する。
【図１】
2019512796.tif 000016
【図２】
2019512796.tif 000017
【図３】
2019512796.tif 000018
【図４】
2019512796.tif 000019
【図５】
2019512796.tif 000020
【図６】
2019512796.tif 000021
【図７】
2019512796.tif 000022
【図８】
2019512796.tif 000023
【図９】
2019512796.tif 000024
【図１０ａ】
2019512796.tif 000025
【図１０ｂ】
2019512796.tif 000026
【図１０ｃ】
2019512796.tif 000027
【図１０ｄ】
2019512796.tif 000028
【図１０ｅ】
2019512796.tif 000029
【図１０ｆ】
2019512796.tif 000030
【図１０ｇ】
2019512796.tif 000031
【図１０ｈ】
2019512796.tif 000032
【図１０ｉ】
2019512796.tif 000033
【図１０ｊ】
2019512796.tif 000034
【図１０ｋ】
2019512796.tif 000035
【図１０ｌ】
2019512796.tif 000036
【図１０ｍ】
2019512796.tif 000037
【図１０ｎ】
2019512796.tif 000038
【図１１】
2019512796.tif 000039
【図１２】
2019512796.tif 000040
【国際調査報告】
2019512796.tif 000041